(57)【特許請求の範囲】
【請求項１】
チャネル位置指示方法であって、
ネットワーク側装置が、少なくとも一つの指示情報を送信し、前記少なくとも一つの指示情報が、データチャネルの周波数領域開始位置及び／又は周波数領域終止位置の第一の制御チャネルのリソースセット又はサーチスペースの周波数領域開始位置に対するオフセット量を指示することに用いられ、前記オフセット量がシンボルレベルのオフセット量であり、前記第一の制御チャネルが前記データチャネルをスケジューリングするためのチャネルであることを含む、前記チャネル位置指示方法。
【請求項２】
前記少なくとも一つの指示情報は第二の指示情報を含み、前記第二の指示情報がダウンリンク制御情報（ＤＣＩ）によって伝送され、前記第二の指示情報が、前記データチャネルの周波数領域開始位置及び／又は周波数領域終止位置の前記第一の制御チャネルのリソースセット又はサーチスペースの周波数領域開始位置に対するオフセット量を指示することに用いられることを特徴とする
請求項１に記載の方法。
【請求項３】
前記少なくとも一つの指示情報は第三の指示情報を含み、前記第三の指示情報が前記データチャネルの時間領域長さを指示することに用いられ、前記第三の指示情報が無線リソース制御（ＲＲＣ）シグナリング及び／又はダウンリンク制御情報（ＤＣＩ）によって伝送されることを特徴とする
請求項１又は２に記載の方法。
【請求項４】
チャネル位置指示方法であって、
端末が、少なくとも一つの指示情報を受信し、前記少なくとも一つの指示情報が、データチャネルの周波数領域開始位置及び／又は周波数領域終止位置の第一の制御チャネルのリソースセット又はサーチスペースの周波数領域開始位置に対するオフセット量を指示することに用いられ、前記オフセット量がシンボルレベルのオフセット量であり、前記第一の制御チャネルが前記データチャネルをスケジューリングするためのチャネルである、前記チャネル位置指示方法。
【請求項５】
前記少なくとも一つの指示情報は第二の指示情報を含み、前記第二の指示情報がダウンリンク制御情報（ＤＣＩ）によって伝送され、前記第二の指示情報が、前記データチャネルの周波数領域開始位置及び／又は周波数領域終止位置の前記第一の制御チャネルのリソースセット又はサーチスペースの周波数領域開始位置に対するオフセット量を指示することに用いられることを特徴とする
請求項４に記載の方法。
【請求項６】
前記少なくとも一つの指示情報は第三の指示情報を含み、前記第三の指示情報が前記データチャネルの時間領域長さを指示することに用いられ、前記第三の指示情報が無線リソース制御（ＲＲＣ）シグナリング及び／又はダウンリンク制御情報（ＤＣＩ）によって伝送されることを特徴とする
請求項４又は５に記載の方法。
【請求項７】
ネットワーク側装置であって、処理ユニットと通信ユニットを備え、
前記処理ユニットが少なくとも一つの指示情報を送信するように前記通信ユニットを制御するように構成され、前記少なくとも一つの指示情報が、データチャネルの周波数領域開始位置及び／又は周波数領域終止位置の第一の制御チャネルのリソースセット又はサーチスペースの周波数領域開始位置に対するオフセット量を指示することに用いられ、前記オフセット量がシンボルレベルのオフセット量であり、前記第一の制御チャネルが前記データチャネルをスケジューリングするためのチャネルである、前記ネットワーク側装置。
【請求項８】
前記少なくとも一つの指示情報は第二の指示情報を含み、前記第二の指示情報がダウンリンク制御情報（ＤＣＩ）によって伝送され、前記第二の指示情報が、前記データチャネルの周波数領域開始位置及び／又は周波数領域終止位置の前記第一の制御チャネルのリソースセット又はサーチスペースの周波数領域開始位置に対するオフセット量を指示することに用いられることを特徴とする
請求項７に記載のネットワーク側装置。
【請求項９】
前記少なくとも一つの指示情報は第三の指示情報を含み、前記第三の指示情報が前記データチャネルの時間領域長さを指示することに用いられ、前記第三の指示情報が無線リソース制御（ＲＲＣ）シグナリング及び／又はダウンリンク制御情報（ＤＣＩ）によって伝送されることを特徴とする
請求項７又は８に記載のネットワーク側装置。
【請求項１０】
端末であって、処理ユニットと通信ユニットを備え、
前記処理ユニットが少なくとも一つの指示情報を送信するように前記通信ユニットを制御するように構成され、前記少なくとも一つの指示情報が、データチャネルの周波数領域開始位置及び／又は周波数領域終止位置の第一の制御チャネルのリソースセット又はサーチスペースの周波数領域開始位置に対するオフセット量を指示することに用いられ、前記オフセット量がシンボルレベルのオフセット量であり、前記第一の制御チャネルが前記データチャネルをスケジューリングするためのチャネルである、前記端末。
【請求項１１】
前記少なくとも一つの指示情報は第二の指示情報を含み、前記第二の指示情報がダウンリンク制御情報（ＤＣＩ）によって伝送され、前記第二の指示情報が、前記データチャネルの周波数領域開始位置及び／又は周波数領域終止位置の前記第一の制御チャネルのリソースセット又はサーチスペースの周波数領域開始位置に対するオフセット量を指示することに用いられることを特徴とする
請求項１０に記載の端末。
【請求項１２】
前記少なくとも一つの指示情報は第三の指示情報を含み、前記第三の指示情報が前記データチャネルの時間領域長さを指示することに用いられ、前記第三の指示情報が無線リソース制御（ＲＲＣ）シグナリング及び／又はダウンリンク制御情報（ＤＣＩ）によって伝送されることを特徴とする
請求項１０又は１１に記載の端末。
【請求項１３】
ネットワーク側装置であって、一つ又は複数のプロセッサ、メモリ、送受信機、及び一つ又は複数のプログラムを備え、前記一つ又は複数のプログラムが前記メモリに記憶され、前記一つ又は複数のプロセッサによって実行されるように構成され、前記プログラムが請求項１−３のいずれか一項に記載される方法のステップを実行するための命令を含む、前記ネットワーク側装置。
【請求項１４】
端末であって、一つ又は複数のプロセッサ、メモリ、通信インタフェース、及び一つ又は複数のプログラムを備え、前記一つ又は複数のプログラムが前記メモリに記憶され、前記一つ又は複数のプロセッサによって実行されるように構成され、前記プログラムが請求項４−６のいずれか一項に記載される方法のステップを実行するための命令を含む、前記端末。
【請求項１５】
コンピュータ可読記憶媒体であって、電子データ交換のためのコンピュータプログラムを記憶し、ここで、前記コンピュータプログラムによりコンピュータが請求項１−３のいずれか一項、又は請求項４−６のいずれか一項に記載される方法のステップを実行する、前記コンピュータ可読記憶媒体。
【発明の詳細な説明】
【技術分野】
【０００１】
本発明は通信技術分野に関し、特にチャネル位置指示方法及び関連製品に関する。
【背景技術】
【０００２】
第５世代の移動通信技術（５Ｇ：５ｔｈ−Ｇｅｎｅｒａｔｉｏｎ）の新しいエアインタフェース（ＮＲ：Ｎｅｗ  Ｒａｄｉｏ）は、第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）組織で新たに提案された課題である。次世代の５Ｇ技術の検討が徐々に深まるにつれて、一方は、通信システムが下位互換性を有するため、後に開発された新しい技術は前の標準化技術と互換する傾向があり、他方では、第４世代の移動通信技術（４Ｇ：ｔｈｅ  ４ｔｈ  Ｇｅｎｅｒａｔｉｏｎ  ｍｏｂｉｌｅ  ｃｏｍｍｕｎｉｃａｔｉｏｎ）である長期進化技術（ＬＴＥ：Ｌｏｎｇ  Ｔｅｒｍ  Ｅｖｏｌｕｔｉｏｎ）は既に大量の既存の設計が存在し、したがって、互換性を達成するために、必ず５Ｇの多くの柔軟性を犠牲にし、それによって性能が低下する。したがって、現在、３ＧＰＰ組織で２つの方向に並行して研究され、ここで、下位互換性を考慮しない技術検討グループは、５Ｇ  ＮＲと呼ばれている。
【０００３】
ＬＴＥシステムでは、データチャネル（例えばＰＤＳＣＨ）の時間領域位置はタイムスロットとサブフレームを単位としている。ＰＤＳＣＨの始点位置は、それの所在するタイムスロット／サブフレームに対するものであり、該サブフレームのＰＣＦＩＣＨチャネルにおいて、ＰＤＳＣＨが該サブフレームの何番目のシンボルから開始するかをオフセット量を指示しする。また、ＬＴＥシステムでは、制御チャネルの時間領域位置もタイムスロット／サブフレームを単位として定義され、物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）は常にサブフレームの開始位置に位置し、物理アップリンク制御チャネル（ＰＵＣＣＨ：Ｐｈｙｓｉｃａｌ  Ｕｐｌｉｎｋ  Ｃｏｎｔｒｏｌ  ＣＨａｎｎｅｌ）はタイムスロット／サブフレーム全体を占有する。
【０００４】
５Ｇ  ＮＲシステムでは、データ伝送リソースの割り当ての柔軟性を向上し、遅延を低減し、チャネルの時間領域位置の柔軟性を大幅に向上させるために、シンボルを単位として割り当てる可能性がある。物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）、ＰＤＣＣＨ、物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）、ＰＵＣＣＨがいずれも任意のシンボルから開始し、しかも任意のシンボルの数を長さとする可能性があるため、タイムスロット／サブフレーム境界を基準点としてデータチャネル及び制御チャネルの時間位置に対して配置しにくくなっる。従来のタイムスロットにおけるシンボル番号でデータチャネルと制御チャネルの開始位置を指示することは、リソース割り当ての柔軟性に対して大きな制限になる。
【発明の概要】
【発明が解決しようとする課題】
【０００５】
本発明の実施例は、無線通信システムにおけるデータチャネルリソースの割り当ての柔軟性及び効率を向上させるために、チャネル位置指示方法及び関連製品を提供する。
【課題を解決するための手段】
【０００６】
第一の態様では、本発明の実施例に係るデータ伝送方法は、
ネットワーク側装置が少なくとも一つの指示情報を送信し、前記少なくとも一つの指示情報が、データチャネルと第一の制御チャネルの間又は第二の制御チャネルと前記第一の制御チャネルの間の位置オフセット量を指示することに用いられ、前記位置オフセット量が時間領域位置オフセット量及び／又は周波数領域位置オフセット量を含み、前記時間領域位置オフセット量がシンボルレベルのオフセット量であることを含む。
【０００７】
これから分かるように、本発明の実施例では、ネットワーク側装置と端末の間に少なくとも一つの指示情報が伝送され、該少なくとも一つの指示情報がデータチャネルと第一の制御チャネルの間又は第二の制御チャネルと第一の制御チャネルの間の位置オフセット量を指示することに用いられ、位置オフセット量が時間領域位置オフセット量及び／又は周波数領域位置オフセット量を含み、且つ時間領域位置オフセット量がシンボルレベルのオフセット量であるため、第一の制御チャネルがそれぞれどのシンボルに位置するかに関わらず、位置オフセット量によってデータチャネル又は第二の制御チャネルの時間周波数リソースを容易に確定することができ、即ちチャネルのリソースの始点位置がＬＴＥシステムのように固定されたサブフレーム／タイムスロット境界で指示される必要がなく、これにより、「まずチャネルの位置するタイムスロット／サブフレームを指示し、次にチャネルがそれの位置するタイムスロットのどのシンボルから開始するかを指示する」の２レベルの指示によって引き起こされる大きなシグナリングの複雑さとオーバーヘッドが回避され、無線通信システムにおけるチャネルリソースの割り当ての柔軟性と効率を向上することに有利である。
【０００８】
一つの可能な設計では、前記少なくとも一つの指示情報は第一の指示情報を含み、前記第一の指示情報が無線リソース制御（ＲＲＣ）シグナリング又はシステム情報によって伝送され、前記第一の指示情報が前記データチャネルと前記第一の制御チャネルの間又は前記第二の制御チャネルと前記第一の制御チャネルの間の位置オフセット量を指示することに用いられる。
【０００９】
これから分かるように、本例では、ネットワーク側装置と端末の間に第一の指示情報が伝送され、該第一の指示情報がデータチャネルと第一の制御チャネルの間又は第二の制御チャネルと第一の制御チャネルの間の位置オフセット量を直接指示することができ、そのためチャネルのリソース位置が該位置オフセット量と第一の制御チャネルのリソース位置に基づいて確定されてもよく、即ちチャネルのリソースの始点位置がＬＴＥシステムのように固定されたサブフレーム／タイムスロット境界で指示される必要がなく、これにより、「まずチャネルの位置するタイムスロット／サブフレームを指示し、次にチャネルがそれの位置するタイムスロットのどのシンボルから開始するかを指示する」の２レベルの指示によって引き起こされる大きなシグナリングの複雑さとオーバーヘッドが回避され、無線通信システムにおけるチャネルリソースの割り当ての柔軟性と効率を向上することに有利である。そして該第一の指示情報がＲＲＣシグナリング又はシステム情報によって伝送されるため、シグナリングオーバーヘッドが小さく、チャネルリソース割り当てのデータ伝送効率がさらに向上し、シグナリングの読み取りの遅延が減少する。
【００１０】
一つの可能な設計では、前記少なくとも一つの指示情報は第二の指示情報を含み、前記第二の指示情報がダウンリンク制御情報（ＤＣＩ）によって伝送され、前記第二の指示情報が、前記データチャネルと前記第一の制御チャネルの間又は前記第二の制御チャネルと前記第一の制御チャネルの間の位置オフセット量を指示することに用いられる。
【００１１】
これから分かるように、本例では、ネットワーク側装置と端末の間に第二の指示情報が伝送され、該第二の指示情報がデータチャネルと第一の制御チャネルの間又は第二の制御チャネルと第一の制御チャネルの間の位置オフセット量を直接指示することができ、そのためチャネルのリソース位置が該位置オフセット量と制御チャネルのリソース位置に基づいて確定されてもよく、即ちチャネルのリソースの始点位置がＬＴＥシステムのように固定されたサブフレーム／タイムスロット境界で指示される必要がなく、これにより、「まずチャネルの位置するタイムスロット／サブフレームを指示し、次にチャネルがそれの位置するタイムスロットのどのシンボルから開始するかを指示する」の２レベルの指示によって引き起こされる大きなシグナリングの複雑さとオーバーヘッドが回避され、無線通信システムにおけるチャネルリソースの割り当ての柔軟性と効率を向上することに有利である。そして該第一の指示情報がＤＣＩによって伝送されるため、制御チャネルによってスケジューリングされたデータチャネルのリソースを動的に指示することができ、データチャネルリソースの割り当ての柔軟性がさらに向上する。
【００１２】
一つの可能な設計では、前記少なくとも一つの指示情報は第一の指示情報と第二の指示情報を含み、前記第一の指示情報が無線リソース制御（ＲＲＣ）シグナリング又はシステム情報によって伝送され、前記第二の指示情報がダウンリンク制御情報（ＤＣＩ）によって伝送され、
前記第一の指示情報が少なくとも一つの位置オフセット量を含み、前記第二の指示情報が選択された位置オフセット量に対応するインジケーターを含み、前記インジケーターが、前記データチャネルと前記第一の制御チャネルの間又は前記第二の制御チャネルと前記第一の制御チャネルの間の位置オフセット量が、前記選択された位置オフセット量であることを指示することに用いられ、前記選択された位置オフセット量が前記少なくとも一つの位置オフセット量から選択された位置オフセット量である。
【００１３】
これから分かるように、本例では、ネットワーク側装置と端末の間に第一の指示情報と第二の指示情報が伝送され、そして該第一の指示情報と第二の指示情報でデータチャネルと第一の制御チャネルの間又は第二の制御チャネルと第一の制御チャネルの間の位置オフセット量を共同で指示し、第一の指示情報のみで指示することに対して、第一の制御チャネルによってスケジューリングされたチャネルリソースをＤＣＩ情報で動的に指示し、チャネルリソースの割り当ての柔軟性を向上することができ、第二の指示情報のみで指示することに対して、ＲＲＣシグナリング又はシステム情報が選択された位置オフセット量を少数の位置オフセット量の値に制限し、それによってシグナリングオーバーヘッドを削減し、データチャネルリソースの割り当ての効率を向上させることができる。
【００１４】
一つの可能な設計では、前記少なくとも一つの指示情報は第一の指示情報と第二の指示情報を含み、前記第一の指示情報が無線リソース制御（ＲＲＣ）シグナリング又はシステム情報によって伝送され、前記第二の指示情報がダウンリンク制御情報（ＤＣＩ）によって伝送され、
前記第一の指示情報内の第一の位置オフセット量が、前記データチャネルと前記第一の制御チャネルの間又は前記第二の制御チャネルと前記第一の制御チャネルの間の位置オフセット量を指示することに用いられ、前記第二の指示情報内の第二の位置オフセット量が、前記データチャネルと前記第一の制御チャネルの間又は前記第二の制御チャネルと前記第一の制御チャネルの間の位置オフセット量を指示することに用いられ、前記第二の位置オフセット量が、端末が前記第二の位置オフセット量と前記第一の位置オフセット量が異なることを検出する時に、前記第二の位置オフセット量を、前記データチャネルと前記第一の制御チャネルの間又は前記第二の制御チャネルと前記第一の制御チャネルの間の位置オフセット量として確定することに用いられる。
【００１５】
これから分かるように、本例では、ネットワーク側装置と端末の間に第一の指示情報と第二の指示情報が伝送され、第一の指示情報が第一の位置オフセット量を含み、第二の指示情報が第二の位置オフセット量を含み、そして第二の位置オフセット量に指示されるデータチャネルが第一の位置オフセット量に指示されるデータチャネルと同じであり、第二の位置オフセット量が、端末が第二の位置オフセット量と第一の位置オフセット量が異なることを検出する時に、第二の位置オフセット量がデータチャネルと第一の制御チャネルの間又は第二の制御チャネルと第一の制御チャネルの間の位置オフセット量であり、即ち第二の位置オフセット量が第一の位置オフセット量を覆すことができることを確定することに用いられる。第一の指示情報のみで指示することに対して、第一の制御チャネルによってスケジューリングされたチャネルリソースを第二の指示情報で動的に指示することができ、データチャネルリソースの割り当ての柔軟性及び精確性の向上に役立ち、第二の指示情報のみで指示することに対して、シグナリングオーバーヘッドを削減し、データチャネルリソースの割り当ての効率を向上させることができる。
【００１６】
一つの可能な設計では、前記少なくとも一つの指示情報は第二の指示情報を含み、前記第二の指示情報がダウンリンク制御情報（ＤＣＩ）によって伝送され、
前記データチャネル又は前記第二の制御チャネルが複数の周波数領域リソースユニット内の時間周波数リソースを含み、前記第二の指示情報が前記複数の周波数領域リソースユニットに対応する複数の時間領域位置オフセット量を含み、各時間領域位置オフセット量が、対応する周波数領域リソースユニット内の時間周波数リソースと前記第一の制御チャネルの間の時間領域位置オフセット量を指示することに用いられる。
【００１７】
これから分かるように、本例では、第二の指示情報が複数の周波数領域ユニットに対して異なる時間領域位置オフセット量を指示することにより、データチャネル又は第二の制御チャネルの異なる周波数領域リソースユニット内の時間領域リソースを異なる時間領域位置から開始させることができ、それによってより柔軟且つより効果的なチャネルリソース割り当てを実現することができる。
【００１８】
一つの可能な設計では、前記少なくとも一つの指示情報は第三の指示情報を含み、前記第三の指示情報が前記データチャネルの時間領域長さを指示することに用いられ、前記第三の指示情報が無線リソース制御（ＲＲＣ）シグナリング及び／又はダウンリンク制御情報（ＤＣＩ）によって伝送される。
【００１９】
これから分かるように、本例では、ネットワーク側装置と端末の間に伝送される少なくとも一つの指示情報がさらにデータチャネルの時間領域長さを指示するための第三の指示情報を含むことができ、これにより、より柔軟且つより効果的なデータチャネルリソースの割り当てを実現し、無線通信システムにおけるデータチャネルリソースの配置の柔軟性及び効率の向上に役立つ。
【００２０】
第二の態様では、本発明の実施例に係るデータ伝送方法は、
端末が少なくとも一つの指示情報を受信し、前記少なくとも一つの指示情報が、データチャネルと第一の制御チャネルの間又は第二の制御チャネルと前記第一の制御チャネルの間の位置オフセット量を指示することに用いられ、前記位置オフセット量が時間領域位置オフセット量及び／又は周波数領域位置オフセット量を含み、前記時間領域位置オフセット量がシンボルレベルのオフセット量であることを含む。
【００２１】
これから分かるように、本発明の実施例では、ネットワーク側装置と端末の間に少なくとも一つの指示情報が伝送され、該少なくとも一つの指示情報がデータチャネルと第一の制御チャネルの間又は第二の制御チャネルと第一の制御チャネルの間の位置オフセット量を指示することに用いられ、位置オフセット量が時間領域位置オフセット量及び／又は周波数領域位置オフセット量を含み、且つ時間領域位置オフセット量がシンボルレベルのオフセット量であるため、第一の制御チャネルがそれぞれどのシンボルに位置するかに関わらず、位置オフセット量によってデータチャネルと第二の制御チャネルの時間周波数リソースを容易に確定することができ、即ちチャネルのリソースの始点位置がＬＴＥシステムのように固定されたサブフレーム／タイムスロット境界で指示される必要がなく、これにより、「まずチャネルの位置するタイムスロット／サブフレームを指示し、次にチャネルがそれの位置するタイムスロットのどのシンボルから開始するかを指示する」の２レベルの指示によって引き起こされる大きなシグナリングの複雑さとオーバーヘッドが回避され、無線通信システムにおけるチャネルリソースの割り当ての柔軟性と効率を向上することに有利である。
【００２２】
一つの可能な設計では、前記少なくとも一つの指示情報は第一の指示情報を含み、前記第一の指示情報が無線リソース制御（ＲＲＣ）シグナリング又はシステム情報によって伝送され、前記第一の指示情報が前記データチャネルと前記第一の制御チャネルの間又は前記第二の制御チャネルと前記第一の制御チャネルの間の位置オフセット量を指示することに用いられる。
【００２３】
一つの可能な設計では、前記少なくとも一つの指示情報は第二の指示情報を含み、前記第二の指示情報がダウンリンク制御情報（ＤＣＩ）によって伝送され、前記第二の指示情報が前記制御チャネルに対する前記データチャネルの位置オフセット量を指示することに用いられる。
【００２４】
一つの可能な設計では、前記少なくとも一つの指示情報は第一の指示情報と第二の指示情報を含み、前記第一の指示情報が無線リソース制御（ＲＲＣ）シグナリング又はシステム情報によって伝送され、前記第二の指示情報がダウンリンク制御情報（ＤＣＩ）によって伝送され、
前記第一の指示情報が少なくとも一つの位置オフセット量を含み、前記第二の指示情報が選択された位置オフセット量に対応するインジケーターを含み、前記インジケーターが、前記データチャネルと前記第一の制御チャネルの間又は前記第二の制御チャネルと前記第一の制御チャネルの間の位置オフセット量が、前記選択された位置オフセット量であることを指示することに用いられ、前記選択された位置オフセット量が前記少なくとも一つの位置オフセット量から選択された位置オフセット量である。
【００２５】
一つの可能な設計では、前記少なくとも一つの指示情報は第一の指示情報と第二の指示情報を含み、前記第一の指示情報が無線リソース制御（ＲＲＣ）シグナリング又はシステム情報によって伝送され、前記第二の指示情報がダウンリンク制御情報（ＤＣＩ）によって伝送され、
前記第一の指示情報内の第一の位置オフセット量が、前記データチャネルと前記第一の制御チャネルの間又は前記第二の制御チャネルと前記第一の制御チャネルの間の位置オフセット量を指示することに用いられ、前記第二の指示情報内の第二の位置オフセット量が、前記データチャネルと前記第一の制御チャネルの間又は前記第二の制御チャネルと前記第一の制御チャネルの間の位置オフセット量を指示することに用いられ、前記第二の位置オフセット量が、端末が前記第二の位置オフセット量と前記第一の位置オフセット量が異なることを検出する時に、前記第二の位置オフセット量を、前記データチャネルと前記第一の制御チャネルの間又は前記第二の制御チャネルと前記第一の制御チャネルの間の位置オフセット量として確定することに用いられる。
【００２６】
一つの可能な設計では、前記少なくとも一つの指示情報は第二の指示情報を含み、前記第二の指示情報がダウンリンク制御情報（ＤＣＩ）によって伝送され、
前記データチャネル又は前記第二の制御チャネルが複数の周波数領域リソースユニット内の時間周波数リソースを含み、前記第二の指示情報が前記複数の周波数領域リソースユニットに対応する複数の時間領域位置オフセット量を含み、前記時間領域位置オフセット量内の各時間領域位置オフセット量が対応する周波数領域リソースユニット内の時間周波数リソースと前記第一の制御チャネルの間又は前記第二の制御チャネルと前記第一の制御チャネルの間の時間領域位置オフセット量を指示することに用いられる。
【００２７】
一つの可能な設計では、前記少なくとも一つの指示情報は第三の指示情報を含み、前記第三の指示情報が前記データチャネルの時間領域長さを指示することに用いられ、前記第三の指示情報が無線リソース制御（ＲＲＣ）シグナリング及び／又はダウンリンク制御情報（ＤＣＩ）によって伝送される。
【００２８】
第三の態様では、本発明の実施例は、上記方法設計におけるネットワーク装置の動作を実施する機能を備えるネットワーク側装置を提供する。前記機能がハードウェアによって実現されてもよいし、ハードウェアによって対応するソフトウェアを実行して実現されてもよい。前記ハードウェア又はソフトウェアは上記機能に対応する一つ又は複数のモジュールを含む。
【００２９】
一つの可能な設計では、ネットワーク側装置は、プロセッサを備え、前記プロセッサが、ネットワーク側装置が上記方法における対応する機能を実行することをサポートするように構成される。さらに、ネットワーク側装置はさらに送受信機を備え、前記送受信機がネットワーク側装置と端末の間の通信をサポートするように構成される。さらに、ネットワーク側装置はさらにメモリをさらに備えることができ、前記メモリがプロセッサと結合し、ネットワーク側装置に必要なプログラム命令とデータを保存するように構成される。
【００３０】
第四の態様では、本発明の実施例は、上記方法設計における端末の動作を実施する機能を備える端末を提供する。前記機能がハードウェアによって実現されてもよいし、ハードウェアによって対応するソフトウェアを実行して実現されてもよい。前記ハードウェア又はソフトウェアは上記機能に対応する一つ又は複数のモジュールを含む。
【００３１】
一つの可能な設計において、端末はプロセッサを備え、前記プロセッサが、端末が上記方法における対応する機能を実行することをサポートするように構成される。さらに、端末はさらに通信インタフェースを備えることができ、前記通信インタフェースが端末とネットワーク側装置との通信をサポートするように構成される。さらに、ネットワーク側装置はさらにメモリを備えることができ、前記メモリがプロセッサと結合し、端末に必要なプログラム命令とデータを保存するように構成される。
【００３２】
第五の態様では、本出願の実施例に係るネットワーク側装置は、一つ又は複数のプロセッサ、メモリ、送受信機及び一つ又は複数のプログラムを備え、ここで、前記一つ又は複数のプログラムが前記メモリに記憶され、そして前記一つ又は複数のプロセッサによって実行されるように構成され、前記プログラムが本発明の実施例の第一の態様におけるいずれかの方法のステップを実行するための命令を含む。
【００３３】
第六の態様では、本出願の実施例に係る端末は、一つ又は複数のプロセッサ、メモリ、通信インタフェース及び一つ又は複数のプログラムを備え、ここで、前記一つ又は複数のプログラムが前記メモリに記憶され、そして前記一つ又は複数のプロセッサによって実行されるように構成され、前記プログラムが本発明の実施例の第二の態様におけるいずれかの方法のステップを実行するための命令を含む。
【００３４】
第七の態様による本発明の実施例はコンピュータ可読記憶媒体を提供し、ここで前記コンピュータ可読記憶媒体が電子データ交換のためのコンピュータプログラムを記憶し、ここで、前記コンピュータプログラムによりコンピュータが本発明の第一の態様のいずれかの方法に記載される一部又は全てのステップを実行する。
【００３５】
第八の態様による本発明の実施例はコンピュータ可読記憶媒体を提供し、ここで前記コンピュータ可読記憶媒体が電子データ交換のためのコンピュータプログラムを記憶し、ここで、前記コンピュータプログラムによりコンピュータが本発明の第二の態様のいずれかの方法に記載される一部又は全てのステップを実行する。
【００３６】
第九の態様では、本発明の実施例はコンピュータプログラム製品を提供し、ここで、前記コンピュータプログラム製品がコンピュータプログラムを記憶する非一時的コンピュータ可読記憶媒体を含み、前記コンピュータプログラムがコンピュータに本発明の実施例の第一の態様のいずれかの方法に記載される一部又は全てのステップを実行させるように動作されることができる。該コンピュータプログラム製品は、一つのソフトウェアインストールパッケージであってもよい。
【００３７】
第十の態様では、本発明の実施例はコンピュータプログラム製品を提供し、ここで、前記コンピュータプログラム製品がコンピュータプログラムを記憶する非一時的コンピュータ可読記憶媒体を含み、前記コンピュータプログラムがコンピュータに本発明の実施例の第一の態様のいずれかの方法に記載される一部又は全てのステップを実行させるように動作されることができる。該コンピュータプログラム製品は、一つのソフトウェアインストールパッケージであってもよい。
【発明の効果】
【００３８】
これから分かるように、本発明の実施例では、ネットワーク側装置と端末の間に少なくとも一つの指示情報が伝送され、該少なくとも一つの指示情報がデータチャネルと第一の制御チャネルの間又は第二の制御チャネルと第一の制御チャネルの間の位置オフセット量を指示することに用いられ、位置オフセット量が時間領域位置オフセット量及び／又は周波数領域位置オフセット量を含み、且つ時間領域位置オフセット量がシンボルレベルのオフセット量であるため、第一の制御チャネルがそれぞれどのシンボルに位置するかに関わらず、位置オフセット量によってデータチャネルと第二の制御チャネルの時間周波数リソースを容易に確定することができ、即ちチャネルのリソースの始点位置がＬＴＥシステムのように固定されたサブフレーム／タイムスロット境界で指示される必要がなく、これにより、「まずチャネルの位置するタイムスロット／サブフレームを指示し、次にチャネルがそれの位置するタイムスロットのどのシンボルから開始するかを指示する」の２レベルの指示によって引き起こされる大きなシグナリングの複雑さとオーバーヘッドが回避され、無線通信システムにおけるチャネルリソースの割り当ての柔軟性と効率を向上することに有利である。
【図面の簡単な説明】
【００３９】
【図１】本発明の実施例に係る例示的な通信システムのネットワークアーキテクチャ図である。
【図２Ａ】本発明の実施例に係るチャネル位置指示方法の通信概略図である。
【図２Ｂ】本発明の実施例に係る別のチャネル位置指示方法の通信概略図である。
【図３Ａ】本発明の実施例に係るＲＲＣシグナリングでＰＤＣＣＨに対するＰＤＳＣＨの時間領域位置オフセット量を指示する概略図である。
【図３Ｂ】本発明の実施例に係るＲＲＣシグナリングでＰＤＣＣＨに対するＰＵＳＣＨの時間領域位置オフセット量を指示する概略図である。
【図３Ｃ】本発明の実施例に係るＰＤＣＣＨでＰＤＣＣＨに対するＰＤＳＣＨの時間領域位置オフセット量を指示する概略図である。
【図３Ｄ】本発明の実施例に係るＰＤＣＣＨでＰＤＣＣＨに対するＰＵＳＣＨの時間領域位置オフセット量を指示する概略図である。
【図３Ｅ】本発明の実施例に係るＲＲＣシグナリングでＰＤＣＣＨリソースセット又はサーチスペースに対するＰＤＳＣＨの時間領域位置オフセット量を指示する概略図である。
【図３Ｆ】本発明の実施例に係るＰＤＣＣＨでＰＤＣＣＨリソースセット又はサーチスペースに対するＰＤＳＣＨの時間領域位置オフセット量を指示する概略図である。
【図３Ｇ】本発明の実施例に係るＲＲＣシグナリングとＰＤＣＣＨでＰＤＣＣＨに対するＰＤＳＣＨの時間領域位置オフセット量を共同で指示する概略図である。
【図３Ｈ】本発明の実施例に係るＰＤＣＣＨでＲＲＣシグナリングの指示を覆し、ＰＤＣＣＨに対するＰＤＳＣＨの時間領域位置オフセット量を確定する概略図である。
【図３Ｉ】本発明の実施例に係るＰＤＣＣＨでＰＤＣＣＨに対する、複数の周波数領域リソースユニット内の複数のＰＤＳＣＨの時間領域位置オフセット量を指示する概略図である。
【図３Ｊ】本発明の実施例に係るＰＤＣＣＨに対するＰＤＳＣＨの時間領域位置オフセット量及びＰＤＳＣＨの長さを指示する概略図である。
【図３Ｋ】本発明の実施例に係るＲＲＣシグナリングでＰＤＣＣＨに対するＰＤＳＣＨの周波数領域位置オフセット量を指示する概略図である。
【図３Ｌ】本発明の実施例に係るＰＤＣＣＨでＰＤＣＣＨに対するＰＤＳＣＨの周波数領域位置オフセット量を指示する概略図である。
【図３Ｍ】本発明の実施例に係るＲＲＣシグナリングでＰＤＳＣＨに対するＰＵＣＣＨの時間領域位置オフセット量を指示する概略図である。
【図３Ｎ】本発明の実施例に係るＰＤＣＣＨでＰＤＳＣＨに対するＰＵＣＣＨの時間領域位置オフセット量を指示する概略図である。
【図３Ｏ】本発明の実施例に係るＲＲＣシグナリングでＰＤＣＣＨに対するＰＵＣＣＨの時間領域位置オフセット量を指示する概略図である。
【図３Ｐ】本発明の実施例に係るＰＤＣＣＨでＰＤＣＣＨに対するＰＵＣＣＨの時間領域位置オフセット量を指示する概略図である。
【図３Ｑ】本発明の実施例に係るＲＲＣシグナリングで別のＰＤＣＣＨに対する一つのＰＤＣＣＨの時間領域位置オフセット量を指示する概略図である。
【図３Ｒ】本発明の実施例に係るＰＤＣＣＨで別のＰＤＣＣＨに対する一つのＰＤＣＣＨの時間領域位置オフセット量を指示する概略図である。
【図４】本発明の実施例に係るネットワーク側装置の構造図である。
【図５】本発明の実施例に係る端末の構造図である。
【図６】本発明の実施例に係るネットワーク側装置の機能ユニットの構成ブロック図である。
【図７】本発明の実施例に係る端末の機能ユニットの構成ブロック図である。
【図８】本発明の実施例に係よる別の端末の構造図である。
【発明を実施するための形態】
【００４０】
以下に実施例又は従来技術の説明に必要な図面を簡単に説明する。
【００４１】
以下に図１を参照し、図１は本発明の実施例に係る例示的な通信システムの可能なネットワークアーキテクチャである。該例示的な通信システムは４Ｇ  ＬＴＥ通信システム又は５Ｇ  ＮＲ通信システムであってもよく、具体的にネットワーク側装置と端末を備え、端末がネットワーク側装置によって提供される移動通信ネットワークにアクセスする時に、端末とネットワーク側装置が無線リンクを介して通信して接続することができ、該通信接続方式がシングル接続方式又はデュアル接続方式又はマルチ接続方式であってもよいが、通信接続方式がシングル接続方式である場合、ネットワーク側装置がＬＴＥ基地局又はＮＲ基地局（またｇＮＢ基地局とも呼ばれる）であってもよく、通信方式がデュアル接続方式であり（具体的に搬送波集約（ＣＡ）技術により実現されてもよく、又は複数のネットワーク側装置で実現されてもよい）、そして端末に複数のネットワーク側装置が接続される場合、該複数のネットワーク側装置がマスタ基地局（ＭＣＧ）とセカンダリ基地局（ＳＣＧ）であってもよく、基地局同士がバックホールリンク（ｂａｃｋｈａｕｌ）を介してデータバックホールを行い、マスタ基地局がＬＴＥ基地局であり、セカンダリ基地局がＬＴＥ基地局であってもよく、又は、マスタ基地局がＮＲ基地局であってもよく、セカンダリ基地局がＬＴＥ基地局であってもよく、又は、マスタ基地局がＮＲ基地局であってもよく、セカンダリ基地局がＮＲ基地局であってもよい。
【００４２】
本発明の実施例では、用語「ネットワーク」と「システム」が常に交換可能に使用され、当業者はその意味を理解することができる。本発明の実施例に係る端末は無線通信機能を備える様々なハンドヘルドデバイス、車載デバイス、ウェアラブルデバイス、コンピューティングデバイス又は無線モデムに接続された他の処理装置、及び様々な形態のユーザ装置（ＵＥ：Ｕｓｅｒ  Ｅｑｕｉｐｍｅｎｔ）、移動ステーション（ＭＳ：Ｍｏｂｉｌｅ  Ｓｔａｔｉｏｎ）、端末装置（ｔｅｒｍｉｎａｌ  ｄｅｖｉｃｅ）などを備えることができる。説明を容易にするために、上述した装置は端末と総称される。
【００４３】
図２Ａを参照し、図２Ａは本発明の実施例に係るチャネル位置指示方法を示しており、該方法は２０１部分を含み、該２０１部分が具体的に以下のとおりである。
【００４４】
２ａ０１部分において、ネットワーク側装置は少なくとも一つの指示情報を送信し、前記少なくとも一つの指示情報がデータチャネルと第一の制御チャネルの間の位置オフセット量を指示することに用いられ、前記位置オフセット量が時間領域位置オフセット量及び／又は周波数領域位置オフセット量を含み、前記位置オフセット量がシンボルレベルのオフセット量である。
【００４５】
ここで、前記第一の制御チャネルは前記データチャネルをスケジューリングするチャネルである。
【００４６】
ここで、前記時間領域位置オフセットは、第一の制御チャネルの時間領域リソースの時間領域開始位置及び／又は時間領域終止位置に対する前記データチャネルの時間領域リソースの時間領域開始位置及び／又は時間領域終止位置のオフセット量であり、又は、前記時間領域位置オフセットは、予め設定された時間周波数リソースの時間領域開始位置及び／又は時間領域終止位置に対する前記データチャネルの時間周波数リソースの時間領域開始位置及び／又は終止位置のオフセット量であり、前記予め設定された時間周波数リソースが前記第一の制御チャネルのリソースセット又はサーチスペースを含む。
【００４７】
前記周波数領域位置オフセットは前記第一の制御チャネルの周波数領域リソースの周波数領域開始位置及び／又は周波数領域終止位置に対する前記データチャネルの周波数領域リソースの周波数領域開始位置及び／又は周波数領域終止位置のオフセット量である。
【００４８】
ここで、前記時間領域位置オフセットの単位は、シンボルレベルの単位、例えば１つのシンボル、２つのシンボル又はより多くのシンボルであってもよく、これに基づき、前記時間領域位置オフセット量の単位は、さらにシンボルとタイムスロット、シンボルとタイムスロットの組み合わせなどであってもよく、前記周波数領域位置オフセット量の単位はリソースブロック、予め設定された数のリソースブロックのいずれか一つである。
【００４９】
２ａ０２部分において、端末は前記少なくとも一つの指示情報を受信し、前記少なくとも一つの指示情報がデータチャネルと第一の制御チャネルの間の位置オフセット量を指示することに用いられ、前記位置オフセット量が時間領域位置オフセット量及び／又は周波数領域位置オフセット量を含み、前記位置オフセット量がシンボルレベルのオフセット量である。
【００５０】
２ａ０３部分において、前記端末は前記少なくとも一つの指示情報に基づき、前記第一の制御チャネルに対する前記データチャネルの位置オフセット量を確定する。
【００５１】
２ａ０４部分において、前記端末は前記第一の制御チャネルに対する前記データチャネルの位置オフセット量、及び前記第一の制御チャネルの位置に基づき、前記第一の制御チャネルによってスケジューリングされた前記データチャネルの位置を確定する。
【００５２】
ここで、前記データチャネルの位置が前記データチャネルの時間周波数リソースの位置であってもよい。
【００５３】
２ａ０５部分において、前記端末は前記制御チャネルによってスケジューリングされたデータチャネルの位置で第一のデータを伝送する。
【００５４】
２ａ０６部分において、前記ネットワーク側装置は前記制御チャネルによってスケジューリングされたデータチャネルの位置で前記第一のデータを受信する。
【００５５】
これから分かるように、本発明の実施例では、ネットワーク側装置と端末の間に少なくとも一つの指示情報が伝送され、該少なくとも一つの指示情報がデータチャネルと第一の制御チャネルの間の位置オフセット量を指示することに用いられ、位置オフセット量が時間領域位置オフセット量及び／又は周波数領域位置オフセット量を含み、且つ時間領域位置オフセット量がシンボルレベルのオフセット量であるため、第一の制御チャネルがそれぞれどのシンボルに位置するかに関わらず、位置オフセット量によってデータチャネルの時間周波数リソースを容易に確定することができ、即ちデータチャネルのリソースの始点位置がＬＴＥシステムのように固定されたサブフレーム／タイムスロット境界で指示される必要がなく、これにより、「まずチャネルの位置するタイムスロット／サブフレームを指示し、次にチャネルがそれの位置するタイムスロットのどのシンボルから開始するかを指示する」の２レベルの指示によって引き起こされる大きなシグナリングの複雑さとオーバーヘッドが回避され、無線通信システムにおけるデータチャネルリソースの割り当ての柔軟性と効率を向上することに有利である。
【００５６】
図２Ａと一致し、図２Ｂを参照し、図２Ｂは本発明の実施例に係るチャネル位置指示方法を示しており、該方法は２ｂ０１部分を含み、該２０１部分が具体的に以下のとおりである。
【００５７】
２ｂ０１部分において、ネットワーク側装置は少なくとも一つの指示情報を送信し、前記少なくとも一つの指示情報が第二の制御チャネルと前記第一の制御チャネルの間の位置オフセット量を指示することに用いられ、前記位置オフセット量が時間領域位置オフセット量及び／又は周波数領域位置オフセット量を含み、前記位置オフセット量がシンボルレベルのオフセット量である。
【００５８】
ここで、前記第一の制御チャネルは前記データチャネルをスケジューリングするチャネルである。
【００５９】
ここで、前記時間領域位置オフセットは、前記第一の制御チャネルの時間領域リソースの時間領域開始位置及び／又は時間領域終止位置に対する前記第二の制御チャネルの時間領域リソースの時間領域開始位置及び／又は時間領域終止位置のオフセット量であり、又は、前記時間領域位置オフセットは、予め設定された時間周波数リソースの時間領域開始位置及び／又は時間領域終止位置に対する前記第二の制御チャネルの時間周波数リソースの時間領域開始位置及び／又は終止位置のオフセット量であり、前記予め設定された時間周波数リソースが前記第一の制御チャネルのリソースセット又はサーチスペースを含む。
【００６０】
ここで、前記周波数領域位置オフセットは前記第一の制御チャネルの周波数領域リソースの周波数領域開始位置及び／又は周波数領域終止位置に対する前記第二の制御チャネルの周波数領域リソースの周波数領域開始位置及び／又は周波数領域終止位置のオフセット量である。
【００６１】
２ｂ０２部分において、端末は前記少なくとも一つの指示情報を受信し、前記少なくとも一つの指示情報が第二の制御チャネルと前記第一の制御チャネルの間の位置オフセット量を指示することに用いられ、前記位置オフセット量が時間領域位置オフセット量及び／又は周波数領域位置オフセット量を含み、前記位置オフセット量がシンボルレベルのオフセット量である。
【００６２】
２ｂ０３部分において、前記端末は前記少なくとも一つの指示情報に基づき、前記第一の制御チャネルに対する前記第二の制御チャネルの位置オフセット量を確定する。
【００６３】
２ｂ０４部分において、前記端末は前記第一の制御チャネルに対する前記第二の制御チャネルの位置オフセット量、及び前記第一の制御チャネルの位置に基づき、前記第二の制御チャネルの位置を確定する。
【００６４】
ここで、前記第二の制御チャネルの位置が前記第二の制御チャネルの時間周波数リソースの位置であってもよい。
【００６５】
２ｂ０５部分において、前記端末は前記第二の制御チャネルの位置で第二のデータを伝送する。
【００６６】
２ｂ０６部分において、前記ネットワーク側装置は前記第二の制御チャネルの位置で前記第二のデータを受信する。
【００６７】
これから分かるように、本発明の実施例では、ネットワーク側装置と端末の間に少なくとも一つの指示情報が伝送され、該少なくとも一つの指示情報が第二の制御チャネルと第一の制御チャネルの間の位置オフセット量を指示することに用いられ、位置オフセット量が時間領域位置オフセット量及び／又は周波数領域位置オフセット量を含み、且つ時間領域位置オフセット量がシンボルレベルのオフセット量であるため、第一の制御チャネルがそれぞれどのシンボルに位置するかに関わらず、位置オフセット量によってデ第二の制御チャネルの時間周波数リソースを容易に確定することができ、即ち第二の制御チャネルのリソースの始点位置がＬＴＥシステムのように固定されたサブフレーム／タイムスロット境界で指示される必要がなく、これにより、「まずチャネルの位置するタイムスロット／サブフレームを指示し、次にチャネルがそれの位置するタイムスロットのどのシンボルから開始するかを指示する」の２レベルの指示によって引き起こされる大きなシグナリングの複雑さとオーバーヘッドが回避され、無線通信システムにおける制御チャネルリソースの割り当ての柔軟性と効率を向上することに有利である。
【００６８】
一つの可能な例では、前記少なくとも一つの指示情報は第一の指示情報を含み、前記第一の指示情報が無線リソース制御（ＲＲＣ）シグナリング又はシステム情報によって伝送され、前記第一の指示情報が前記データチャネルと前記第一の制御チャネルの間又は前記第二の制御チャネルと前記第一の制御チャネルの間の位置オフセット量を指示することに用いられる。
【００６９】
これから分かるように、本例では、ネットワーク側装置と端末の間に第一の指示情報が伝送され、該第一の指示情報がデータチャネルと第一の制御チャネルの間又は第二の制御チャネルと第一の制御チャネルの間の位置オフセット量を直接指示することができ、そのためチャネルのリソース位置が該位置オフセット量と第一の制御チャネルのリソース位置に基づいて確定されてもよく、即ちチャネルのリソースの始点位置がＬＴＥシステムのように固定されたサブフレーム／タイムスロット境界で指示される必要がなく、これにより、「まずチャネルの位置するタイムスロット／サブフレームを指示し、次にチャネルがそれの位置するタイムスロットのどのシンボルから開始するかを指示する」の２レベルの指示によって引き起こされる大きなシグナリングの複雑さとオーバーヘッドが回避され、無線通信システムにおけるチャネルリソースの割り当ての柔軟性と効率を向上することに有利である。そして該第一の指示情報がＲＲＣシグナリング又はシステム情報によって伝送されるため、シグナリングオーバーヘッドが小さく、チャネルリソース割り当てのデータ伝送効率がさらに向上し、シグナリングの読み取りの遅延が減少する。
【００７０】
一つの可能な例では、前記少なくとも一つの指示情報は第二の指示情報を含み、前記第二の指示情報がダウンリンク制御情報（ＤＣＩ）によって伝送され、前記第二の指示情報が、前記データチャネルと前記第一の制御チャネルの間又は前記第二の制御チャネルと前記第一の制御チャネルの間の位置オフセット量を指示することに用いられる。
【００７１】
これから分かるように、本例では、ネットワーク側装置と端末の間に第二の指示情報が伝送され、該第二の指示情報がデータチャネルと第一の制御チャネルの間又は第二の制御チャネルと第一の制御チャネルの間の位置オフセット量を直接指示することができ、そのためチャネルのリソース位置が該位置オフセット量と制御チャネルのリソース位置に基づいて確定されてもよく、即ちチャネルのリソースの始点位置がＬＴＥシステムのように固定されたサブフレーム／タイムスロット境界で指示される必要がなく、これにより、「まずチャネルの位置するタイムスロット／サブフレームを指示し、次にチャネルがそれの位置するタイムスロットのどのシンボルから開始するかを指示する」の２レベルの指示によって引き起こされる大きなシグナリングの複雑さとオーバーヘッドが回避され、無線通信システムにおけるチャネルリソースの割り当ての柔軟性と効率を向上することに有利である。そして該第一の指示情報がＤＣＩによって伝送されるため、制御チャネルによってスケジューリングされたデータチャネルのリソースを動的に指示することができ、データチャネルリソースの割り当ての柔軟性がさらに向上する。
【００７２】
一つの可能な例では、前記少なくとも一つの指示情報は第一の指示情報と第二の指示情報を含み、前記第一の指示情報が無線リソース制御（ＲＲＣ）シグナリング又はシステム情報によって伝送され、前記第二の指示情報がダウンリンク制御情報（ＤＣＩ）によって伝送され、
前記第一の指示情報が少なくとも一つの位置オフセット量を含み、前記第二の指示情報が選択された位置オフセット量に対応するインジケーターを含み、前記インジケーターが、前記データチャネルと前記第一の制御チャネルの間又は前記第二の制御チャネルと前記第一の制御チャネルの間の位置オフセット量が、前記選択された位置オフセット量であることを指示することに用いられ、前記選択された位置オフセット量が前記少なくとも一つの位置オフセット量から選択された位置オフセット量である。
【００７３】
これから分かるように、この可能な例では、ネットワーク側装置と端末の間に第一の指示情報と第二の指示情報が伝送され、そして該第一の指示情報と第二の指示情報でデータチャネルと第一の制御チャネルの間又は第二の制御チャネルと第一の制御チャネルの間の位置オフセット量を共同で指示し、第一の指示情報のみで指示することに対して、第一の制御チャネルによってスケジューリングされたチャネルリソースをＤＣＩ情報で動的に指示し、チャネルリソースの割り当ての柔軟性を向上することができ、第二の指示情報のみで指示することに対して、ＲＲＣシグナリング又はシステム情報が選択された位置オフセット量を少数の位置オフセット量の値に制限し、それによってシグナリングオーバーヘッドを削減し、データチャネルリソースの割り当ての効率を向上させることができる。
【００７４】
上記の可能な例では、前記少なくとも一つの指示情報は第一の指示情報と第二の指示情報を含み、前記第一の指示情報が無線リソース制御（ＲＲＣ）シグナリング又はシステム情報によって伝送され、前記第二の指示情報がダウンリンク制御情報（ＤＣＩ）によって伝送され、
前記第一の指示情報内の第一の位置オフセット量が前記データチャネルと前記第一の制御チャネルの間又は第二の制御チャネルと前記第一の制御チャネルの間の位置オフセット量を指示することに用いられ、前記第二の指示情報内の第二の位置オフセット量が、前記データチャネルと前記第一の制御チャネルの間又は前記第二の制御チャネルと前記第一の制御チャネルの間の位置オフセット量を指示することに用いられ、前記第二の位置オフセット量が、端末が前記第二の位置オフセット量と前記第一の位置オフセット量が異なることを検出する時に、前記第二の位置オフセット量を、前記データチャネルと前記第一の制御チャネルの間又は前記第二の制御チャネルと前記第一の制御チャネルの間の位置オフセット量として確定することに用いられる。
【００７５】
これから分かるように、本例では、ネットワーク側装置と端末の間に第一の指示情報と第二の指示情報が伝送され、第一の指示情報が第一の位置オフセット量を含み、第二の指示情報が第二の位置オフセット量を含み、そして第二の位置オフセット量に指示されるデータチャネルが第一の位置オフセット量に指示されるデータチャネルと同じであり、第二の位置オフセット量が、端末が第二の位置オフセット量と第一の位置オフセット量が異なることを検出する時に、第二の位置オフセット量がデータチャネルと第一の制御チャネルの間又は第二の制御チャネルと第一の制御チャネルの間の位置オフセット量であり、即ち第二の位置オフセット量が第一の位置オフセット量を覆すことができることを確定することに用いられる。第一の指示情報のみで指示することに対して、第一の制御チャネルによってスケジューリングされたチャネルリソースを第二の指示情報で動的に指示することができ、データチャネルリソースの割り当ての柔軟性及び精確性の向上に役立ち、第二の指示情報のみで指示することに対して、シグナリングオーバーヘッドを削減し、データチャネルリソースの割り当ての効率を向上させることができる。
【００７６】
一つの可能な例では、前記少なくとも一つの指示情報は第二の指示情報を含み、前記第二の指示情報がダウンリンク制御情報（ＤＣＩ）によって伝送され、
前記データチャネルが複数の周波数領域リソースユニット内の時間領域リソースを含み、前記第二の指示情報が前記複数の周波数領域リソースユニットに対応する複数の時間領域位置オフセット量を含み、各時間領域位置オフセット量が対応する周波数領域リソースユニット内の時間領域リソースと前記第一の制御チャネルの間の時間領域位置オフセット量を指示することに用いられる。
【００７７】
これから分かるように、本例では、第二の指示情報が複数の周波数領域ユニットに対して異なる時間領域位置オフセット量を指示することにより、データチャネル又は第二の制御チャネルの異なる周波数領域リソースユニット内の時間領域リソースを異なる時間領域位置から開始させることをサポートすることができ、それによってより柔軟且つより効果的なデータチャネルリソース割り当てを実現することができる。
【００７８】
一つの可能な例では、前記少なくとも一つの指示情報は第一の指示情報と第二の指示情報を含み、前記第一の指示情報が無線リソース制御（ＲＲＣ）シグナリング又はシステム情報によって伝送され、前記第二の指示情報がダウンリンク制御情報（ＤＣＩ）によって伝送され、
前記データチャネル又は第二の制御チャネルが複数の周波数領域リソースユニット内の時間領域リソースを含み、前記第一の指示情報が少なくとも一つの時間領域位置オフセット量を含み、前記第二の指示情報が前記複数の周波数領域リソースユニットに対応する複数のインジケーターを含み、前記複数のインジケーターが前記少なくとも一つの時間領域位置オフセット量から選択された複数の時間領域位置オフセット量に対応し、前記複数のインジケーターのそれぞれが、対応する周波数領域リソースユニット内のデータチャネルと前記第一の制御チャネルの間の位置オフセット量が該インジケーターに対応する時間領域位置オフセット量であることを指示することに用いられる。
【００７９】
一つの可能な例では、前記少なくとも一つの指示情報はさらにデフォルトの位置オフセット量を含み、前記デフォルトの位置オフセット量が、端末が前記第一の指示情報と前記第二の指示情報から前記データチャネルと前記第一の制御チャネルの間又は前記第二の制御チャネルと前記第一の制御チャネルの間の位置オフセット量を取得しない時に、前記データチャネルと前記第一の制御チャネルの間又は前記第二の制御チャネルと前記第一の制御チャネルの間の位置オフセット量を確定することに用いられる。
【００８０】
これから分かるように、本例では、第一の指示情報と第二の指示情報がいずれも時間領域位置オフセット量を明確に指示しないデータチャネル又は第二の制御チャネルに対して、デフォルトの時間領域位置オフセット量によって第一の制御チャネルに対する該データチャネル又は第二の制御チャネルの時間領域位置オフセット量を確定することができ、これにより、関連する制御シグナリングの誤検出、検出漏れの場合でデータチャネルの時間領域位置を確定できないことが回避され、無線通信システムのチャネルリソース割り当ての信頼性を向上させることに有利である。
【００８１】
一つの可能な例では、前記少なくとも一つの指示情報はさらに第三の指示情報を含み、前記第三の指示情報が前記データチャネルの時間領域長さを指示することに用いられ、前記第三の指示情報がＲＲＣシグナリング及び／又はダウンリンク制御情報（ＤＣＩ）によって伝送される。
【００８２】
これから分かるように、本例では、ネットワーク側装置と端末の間に伝送される少なくとも一つの指示情報がさらにデータチャネルの時間領域長さを指示するための第三の指示情報を含むことができ、これにより、より柔軟且つより効果的なデータチャネルリソースの割り当てを実現し、無線通信システムにおけるデータチャネルリソースの配置の柔軟性及び効率の向上に役立つ。
【００８３】
以下に具体的な応用シーンと組み合わせて本発明の実施例を具体的に説明する。
【００８４】
図３Ａを参照し、データチャネルが物理ダウンリンク共有チャネル（ＰＤＳＣＨ）であり、制御チャネルが物理ダウンリンク制御チャネル（ＰＤＣＣＨ）であり、図３Ａは本発明の実施例に係るＲＲＣシグナリングでＰＤＣＣＨに対するＰＤＳＣＨの時間領域位置オフセット量を指示する概略図である。図３Ａに示すように、この実施例では、ＲＲＣシグナリングでＰＤＣＣＨに対するダウンリンクデータＰＤＳＣＨの時間領域位置オフセット量を指示し、該時間領域位置オフセット量がシンボル、いくつかのシンボル、シンボルとタイムスロット、シンボルとミニスロット（ｍｉｎｉ−ｓｌｏｔ）を単位とすることができる。この方法により、ＰＤＣＣＨがどのシンボルに位置するかに関わらず、それによってスケジューリングされたＰＤＳＣＨのリソースを容易に指示することができる。これにより、柔軟、高効率、低遅延のデータチャネルリソース割り当てを実現することができる。
【００８５】
図３Ｂを参照し、データチャネルが物理アップリンク共有チャネル（ＰＵＳＣＨ）であり、制御チャネルが物理ダウンリンク制御チャネル（ＰＤＣＣＨ）であり、図３Ｂは本発明の実施例に係るＲＲＣシグナリングでＰＤＣＣＨに対するＰＵＳＣＨの時間領域位置オフセット量を指示する概略図である。図３Ｂに示すように、この実施例では、ＲＲＣシグナリングでＰＤＣＣＨに対するＰＵＳＣＨの時間領域位置オフセット量を指示する。この方法により、ＰＤＣＣＨがどのシンボルに位置するかに関わらず、それによってスケジューリングされたＰＵＳＣＨのリソースを容易に指示することができる。これにより、柔軟、高効率、低遅延のデータチャネルリソース割り当てを実現することができる。
【００８６】
図３Ｃを参照し、データチャネルが物理ダウンリンク共有チャネル（ＰＤＳＣＨ）であり、制御チャネルが物理ダウンリンク制御チャネル（ＰＤＣＣＨ）であり、図３Ｃは本発明の実施例に係るＰＤＣＣＨでＰＤＣＣＨに対するＰＤＳＣＨの時間領域位置オフセット量を指示する概略図である。図３Ｃに示すように、この実施例では、ダウンリンク制御チャネルＰＤＣＣＨでＰＤＣＣＨに対するＰＤＳＣＨの時間領域位置オフセット量を指示する。オフセット量はシンボル、いくつかのシンボル、シンボルとタイムスロット、シンボルとミニスロット（ｍｉｎｉ−ｓｌｏｔ）を単位とすることができる。ＲＲＣシグナリングで指示することに対して、ＰＤＣＣＨでＰＤＳＣＨからＰＤＣＣＨまでの時間領域位置オフセット量を指示することは、それによってスケジューリングされたＰＤＳＣＨのリソースを動的に指示することができる。これにより、より柔軟なデータチャネルリソース割り当てを実現することができる。しかし、ＲＲＣシグナリングで指示することに対して、シグナリングオーバーヘッドが大きい。
【００８７】
図３Ｄを参照し、データチャネルが物理アップリンク共有チャネル（ＰＵＳＣＨ）であり、制御チャネルが物理ダウンリンク制御チャネル（ＰＤＣＣＨ）であり、図３Ｄは本発明の実施例に係るＰＤＣＣＨでＰＤＣＣＨに対するＰＵＳＣＨの時間領域位置オフセット量を指示する概略図である。図３Ｄに示すように、この実施例では、ダウンリンク制御チャネルＰＤＣＣＨでＰＤＣＣＨに対するＰＵＳＣＨの時間領域位置オフセット量を指示する。オフセット量はシンボル、いくつかのシンボル、シンボルとタイムスロット、シンボルとミニスロット（ｍｉｎｉ−ｓｌｏｔ）を単位とすることができる。ＲＲＣシグナリングで指示することに対して、ＰＤＣＣＨでＰＵＳＣＨからＰＤＣＣＨまでの時間領域位置オフセット量を指示することは、それによってケジューリングされたＰＤＳＣＨのリソースを動的に指示することができる。これにより、より柔軟なデータチャネルリソース割り当てを実現することができる。しかし、ＲＲＣシグナリングで指示することに対して、シグナリングオーバーヘッドが大きい。
【００８８】
図３Ｅを参照し、データチャネルが物理ダウンリンク共有チャネル（ＰＤＳＣＨ）であり、制御チャネルが物理ダウンリンク制御チャネル（ＰＤＣＣＨ）であり、図３Ｅは本発明の実施例に係るＲＲＣシグナリングでＰＤＣＣＨリソースセット又はサーチスペースに対するＰＤＳＣＨの時間領域位置オフセット量を指示する概略図である。図３Ｅに示すように、この実施例では、ＲＲＣシグナリングでＰＤＣＣＨリソースセット又はサーチスペースに対するＰＤＳＣＨの時間領域位置オフセット量を指示する。ＰＤＣＣＨリソースセット又はサーチスペースは端末を含む可能性があるＰＤＣＣＨのリソース範囲であり、ネットワーク装置はまずＰＤＣＣＨリソースセット又はサーチスペースを端末に指示する。したがって、ＰＤＣＣＨがどのシンボルに位置するかに関わらず、ＰＤＣＣＨリソースセット又はサーチスペースに対するＰＤＳＣＨの時間領域位置オフセット量を指示することにより、あるＰＤＣＣＨによってスケジューリングされたＰＤＳＣＨのリソースを指示することができる。これにより、柔軟、高効率、低遅延のデータチャネルリソース割り当てを実現することができる。この実施例の方法は、ＰＤＣＣＨリソースセット又はサーチスペースに対するＰＵＳＣＨの時間領域位置オフセット量を指示することに用いられてもよい。
【００８９】
図３Ｆを参照し、データチャネルが物理ダウンリンク共有チャネル（ＰＤＳＣＨ）であり、制御チャネルが物理ダウンリンク制御チャネル（ＰＤＣＣＨ）であり、図３Ｆは本発明の実施例に係るＰＤＣＣＨでＰＤＣＣＨリソースセット又はサーチスペースに対するＰＤＳＣＨの時間領域位置オフセット量を指示する概略図である。図３Ｆに示すように、この実施例では、ＲＲＣシグナリングではなくＰＤＳＣＨでＰＤＣＣＨリソースセット又はサーチスペースに対するＰＤＳＣＨの時間領域位置オフセット量を指示する。ＲＲＣシグナリングで指示することに対して、ＰＤＣＣＨでＰＤＳＣＨからＰＤＣＣＨリソースセット又はサーチスペースまでのオフセット量を指示することは、それによってスケジューリングされたＰＤＳＣＨのリソースを動的に指示することができる。これにより、より柔軟なデータチャネルリソース割り当てを実現することができる。しかし、ＲＲＣシグナリングで指示することに対して、シグナリングオーバーヘッドが大きい。この実施例の方法は、ＰＤＣＣＨリソースセット又はサーチスペースに対するＰＵＳＣＨの時間領域位置オフセット量を指示することに用いられてもよい。
【００９０】
図３Ｇを参照し、データチャネルが物理ダウンリンク共有チャネル（ＰＤＳＣＨ）であり、制御チャネルが物理ダウンリンク制御チャネル（ＰＤＣＣＨ）であり、図３Ｇは本発明の実施例に係るＲＲＣシグナリングとＰＤＣＣＨでＰＤＣＣＨに対するＰＤＳＣＨの時間領域位置オフセット量を共同で指示する概略図である。図３Ｇに示すように、この実施例では、まずＲＲＣシグナリングでＰＤＣＣＨに対する複数のＰＤＳＣＨの時間領域位置オフセット量を指示し、次にＰＤＣＣＨでこのいくつかのオフセット量から一つ指定する。ＲＲＣシグナリングで指示することに対して、ＰＤＣＣＨはそれにスケジューリングされたＰＤＳＣＨのリソースを動的に指示し、データチャネルリソースの割り当ての柔軟性を向上させる。ＰＤＣＣＨのみで指示することに対して、ＲＲＣシグナリングはシグナリングオーバーヘッドを削減し、データチャネルリソースの割り当ての効率を向上させることができる。この実施例の方法は、ＰＤＣＣＨに対するＰＵＳＣＨの時間領域位置オフセット量を指示することに用いられてもよい。この実施例の方法は、ＰＤＣＣＨリソースセット又はサーチスペースに対するＰＤＳＣＨ／ＰＵＳＣＨの時間領域位置オフセット量を指示することに用いられてもよい。
【００９１】
図３Ｈを参照し、データチャネルが物理ダウンリンク共有チャネル（ＰＤＳＣＨ）であり、制御チャネルが物理ダウンリンク制御チャネル（ＰＤＣＣＨ）であり、図３Ｈは本発明の実施例に係るＰＤＣＣＨでＲＲＣシグナリングの指示を覆し、ＰＤＣＣＨに対するＰＤＳＣＨの時間領域位置オフセット量を確定する概略図である。図３Ｈに示すように、この実施例では、まずＲＲＣシグナリングでＰＤＣＣＨに対する一つのＰＤＳＣＨの時間領域位置オフセット量を指示し、次にＰＤＣＣＨでＰＤＣＣＨに対する一つの新しいＰＤＳＣＨの時間領域位置オフセット量を指示する。ＲＲＣシグナリングとＰＤＣＣＨから端末によって受信された時間領域位置オフセット量が異なる場合、ＰＤＣＣＨに指示される時間領域位置オフセット量を用いてＰＤＣＣＨに対するＰＤＳＣＨの時間領域位置オフセット量を確定する。ＲＲＣシグナリングのみで指示することに対して、本実施例はＰＤＣＣＨはそれにスケジューリングされたＰＤＳＣＨのリソースを動的に指示することができ、データチャネルリソースの割り当ての柔軟性と精確性を向上させることができる。ＰＤＣＣＨのみで指示することに対して、本実施例は、シグナリングオーバーヘッドを削減することができる。この実施例の方法は、ＰＤＣＣＨに対するＰＵＳＣＨの時間領域位置オフセット量を指示することに用いられてもよい。この実施例の方法は、ＰＤＣＣＨリソースセット又はサーチスペースに対するＰＤＳＣＨ／ＰＵＳＣＨの時間領域位置オフセット量を指示することに用いられてもよい。
【００９２】
図３Ｉを参照し、データチャネルは物理ダウンリンク共有チャネル（ＰＤＳＣＨ）であり、該ＰＤＳＣＨが複数の周波数領域リソースユニット内の時間領域リソースを含み、制御チャネルは物理ダウンリンク制御チャネル（ＰＤＣＣＨ）であり、図３Ｉは本発明の実施例に係るＰＤＣＣＨでＰＤＣＣＨに対する複数の周波数領域リソースユニット内の時間領域リソースの時間領域位置オフセット量を指示する概略図である。図３Ｉに示すように、この実施例では、ＰＤＣＣＨでＰＤＣＣＨに対する各時間領域リソースの時間領域位置オフセットを指示し、複数の周波数領域リソースユニットに対して異なる時間領域位置オフセット量を指示する。これにより、ＰＤＳＣＨの異なる周波数領域リソースユニット内の時間領域リソースを異なる時間領域位置から開始させることができ、それによってより柔軟なチャネルリソース割り当てを実現する。この実施例の方法は、ＰＤＣＣＨに対するＰＵＳＣＨの時間領域位置オフセット量を指示することに用いられてもよい。この実施例の方法は、ＰＤＣＣＨリソースセット又はサーチスペースに対するＰＤＳＣＨ／ＰＵＳＣＨの時間領域位置オフセット量を指示することに用いられてもよい。この実施例ではＲＲＣシグナリングとＰＤＣＣＨで共同で指示する方法又はＰＤＣＣＨでＲＲＣシグナリングの指示を覆す方法を用いることもできる。
【００９３】
図３Ｊを参照し、データチャネルが物理ダウンリンク共有チャネル（ＰＤＳＣＨ）であり、制御チャネルが物理ダウンリンク制御チャネル（ＰＤＣＣＨ）であり、図３Ｊは本発明の実施例に係るＰＤＣＣＨに対するＰＤＳＣＨの時間領域位置オフセット量及びＰＤＳＣＨの長さを指示する概略図である。図３Ｊに示すように、この実施例では、ＰＤＣＣＨでＰＤＣＣＨに対するＰＤＳＣＨの時間領域位置オフセット量を指示するだけでなく、ＰＤＣＣＨでＰＤＳＣＨの時間領域長さを指示する。このようにしてＰＤＳＣＨの位置だけでなく、ＰＤＳＨＣの長さを柔軟に設定することができ、それによってより柔軟且つより効果的なデータチャネルリソース割り当てを実現する。この実施例の方法は、ＰＤＣＣＨに対するＰＵＳＣＨの時間領域位置オフセット量及びその長さを指示することに用いられてもよい。この実施例の方法は、ＰＤＣＣＨリソースセット又はサーチスペースに対するＰＤＳＣＨ／ＰＵＳＣＨの時間領域位置オフセット量及びその長さを指示することに用いられてもよい。この実施例ではＲＲＣシグナリングとＰＤＣＣＨで共同で指示する方法又はＰＤＣＣＨでＲＲＣシグナリングの指示を覆す方法を用いることもできる。この実施例の方法は、複数の周波数領域リソースユニットに対して、ＰＤＣＣＨに対する異なるＰＤＳＣＨ／ＰＵＳＣＨの時間領域位置オフセット量及びその長さを指示することもできる。
【００９４】
図３Ｋを参照し、データチャネルが物理ダウンリンク共有チャネル（ＰＤＳＣＨ）であり、制御チャネルが物理ダウンリンク制御チャネル（ＰＤＣＣＨ）であり、図３Ｋは本発明の実施例に係るＲＲＣシグナリングでＰＤＣＣＨに対するＰＤＳＣＨの周波数領域位置オフセット量を指示する概略図である。図３Ｋに示すように、この実施例では、ＲＲＣシグナリングでＰＤＣＣＨに対するＰＤＳＣＨの時間領域位置オフセット量ではなく、ＲＲＣシグナリングでＰＤＣＣＨに対するＰＤＳＣＨの周波数領域位置オフセット量を指示する。ＰＤＣＣＨとＰＤＳＣＨが周波数領域において近いため、この実施例は、ＰＤＳＣＨ周波数領域リソースを柔軟に割り当てるとともに、ＰＤＳＣＨ周波数領域リソースを指示するためのシグナリングオーバーヘッドを節約することができる。この実施例の方法は、ＰＤＣＣＨに対するＰＵＳＣＨの周波数領域位置オフセット量を指示することに用いられてもよい。この実施例の方法は、ＰＤＣＣＨリソースセット又はサーチスペースに対するＰＤＳＣＨ／ＰＵＳＣＨの周波数領域位置オフセット量を指示することに用いられてもよい。この実施例の方法は、複数の時間領域リソースユニットに対して、ＰＤＣＣＨに対する異なるＰＤＳＣＨ／ＰＵＳＣＨの周波数領域位置オフセット量を指示することもできる。
【００９５】
図３Ｌを参照し、データチャネルが物理ダウンリンク共有チャネル（ＰＤＳＣＨ）であり、制御チャネルが物理ダウンリンク制御チャネル（ＰＤＣＣＨ）であり、図３Ｌは本発明の実施例に係るＰＤＣＣＨでＰＤＣＣＨに対するＰＤＳＣＨの周波数領域位置オフセット量を指示する概略図である。図３Ｌに示すように、この実施例では、ＰＤＣＣＨでＰＤＣＣＨに対するＰＤＳＣＨの時間領域位置オフセット量ではなく、ＰＤＣＣＨでＰＤＣＣＨに対するＰＤＳＣＨの周波数領域位置オフセット量を指示する。ＰＤＣＣＨとＰＤＳＣＨが周波数領域において近いため、この実施例は、ＰＤＳＣＨ周波数領域リソースを柔軟に割り当てるとともに、ＰＤＳＣＨ周波数領域リソースを指示するためのシグナリングオーバーヘッドを節約することができる。この実施例の方法は、ＰＤＣＣＨに対するＰＵＳＣＨの周波数領域位置オフセット量を指示することに用いられてもよい。この実施例の方法は、ＰＤＣＣＨリソースセット又はサーチスペースに対するＰＤＳＣＨ／ＰＵＳＣＨの周波数領域位置オフセット量を指示することに用いられてもよい。この実施例ではＲＲＣシグナリングとＰＤＣＣＨで共同で指示する方法又はＰＤＣＣＨでＲＲＣシグナリングの指示を覆す方法を用いることもできる。この実施例の方法は、複数の時間領域リソースユニットに対して、ＰＤＣＣＨに対する異なるＰＤＳＣＨ／ＰＵＳＣＨの周波数領域位置オフセット量を指示することもできる。
【００９６】
図３Ｍを参照し、データチャネルが物理ダウンリンク共有チャネル（ＰＤＳＣＨ）であり、制御チャネルが物理アップリンク制御チャネル（ＰＵＣＣＨ）であり、図３Ｍは本発明の実施例に係るＲＲＣシグナリングでＰＤＳＣＨに対するＰＵＣＣＨの時間領域位置オフセット量を指示する概略図である。図３Ｍに示すように、この実施例では、ＲＲＣシグナリングでＰＤＳＣＨに対するＰＵＣＣＨの時間領域位置オフセット量を指示し、該時間領域位置オフセット量がシンボル、いくつかのシンボル、シンボルとタイムスロット、シンボルとミニスロット（ｍｉｎｉ−ｓｌｏｔ）を単位とすることができる。この方法により、ＰＤＳＣＨがどのシンボルに位置するかに関わらず、それに対応するＰＵＣＣＨ（例えばＰＤＳＣＨに対応するＡＣＫ／ＮＡＣＫを伝送するＰＵＣＣＨ）のリソースを容易に指示することができる。これにより、柔軟、高効率、低遅延の制御チャネルリソース割り当てを実現することができる。
【００９７】
図３Ｎを参照し、データチャネルが物理ダウンリンク共有チャネル（ＰＤＳＣＨ）であり、制御チャネルが物理アップリンク制御チャネル（ＰＵＣＣＨ）であり、図３Ｍは本発明の実施例に係るＰＤＣＣＨでＰＤＳＣＨに対するＰＵＣＣＨの時間領域位置オフセット量を指示する概略図である。図３Ｍに示すように、この実施例では、ＰＤＣＣＨでＰＤＳＣＨに対するＰＵＣＣＨの時間領域位置オフセット量を指示する。オフセット量はシンボル、いくつかのシンボル、シンボルとタイムスロット、シンボルとミニスロット（ｍｉｎｉ−ｓｌｏｔ）を単位とすることができる。ＲＲＣシグナリングで指示することに対して、ＰＤＣＣＨでＰＵＣＣＨからＰＤＳＣＨまでの時間領域位置オフセット量を指示することは、それに対応するＰＵＣＣＨ（例えばＰＤＳＣＨに対応するＡＣＫ／ＮＡＣＫを伝送するためのＰＵＣＣＨ）のリソースを動的に指示することができる。これにより、柔軟な制御チャネルリソース割り当てを実現することができる。しかし、ＲＲＣシグナリングで指示することに対して、シグナリングオーバーヘッドが大きい。
【００９８】
図３Ｏを参照し、一つの制御チャネルが物理ダウンリンク制御チャネル（ＰＤＣＣＨ）であり、別の制御チャネルが物理アップリンク制御チャネル（ＰＵＣＣＨ）であり、図３Ｏは本発明の実施例に係るＲＲＣシグナリングでＰＤＣＣＨに対するＰＵＣＣＨの時間領域位置オフセット量を指示する概略図である。図３Ｏに示すように、この実施例では、ＲＲＣシグナリングでＰＤＣＣＨに対するＰＵＣＣＨの時間領域位置オフセット量を指示し、該時間領域位置オフセット量がシンボル、いくつかのシンボル、シンボルとタイムスロット、シンボルとミニスロット（ｍｉｎｉ−ｓｌｏｔ）を単位とすることができる。この方法により、ＰＤＣＣＨがどのシンボルに位置するかに関わらず、ＰＵＣＣＨのリソースを容易に指示することができる。これにより、柔軟、高効率、低遅延の制御チャネルリソース割り当てを実現することができる。
【００９９】
図３Ｐを参照し、一つの制御チャネルが物理ダウンリンク制御チャネル（ＰＤＣＣＨ）であり、別の制御チャネルが物理アップリンク制御チャネル（ＰＵＣＣＨ）であり、図３Ｐは本発明の実施例に係るＰＤＣＣＨでＰＤＣＣＨに対するＰＵＣＣＨの時間領域位置オフセット量を指示する概略図である。図３Ｐに示すように、この実施例では、ＰＤＣＣＨでＰＤＣＣＨに対するＰＵＣＣＨの時間領域位置オフセット量を指示する。オフセット量はシンボル、いくつかのシンボル、シンボルとタイムスロット、シンボルとミニスロット（ｍｉｎｉ−ｓｌｏｔ）を単位とすることができる。ＲＲＣシグナリングで指示することに対して、ＰＤＣＣＨでＰＵＣＣＨからＰＤＣＣＨまでの時間領域位置オフセット量を指示することは、ＰＵＣＣＨのリソースを動的に指示することができる。これにより、柔軟な制御チャネルリソース割り当てを実現することができる。しかし、ＲＲＣシグナリングで指示することに対して、シグナリングオーバーヘッドが大きい。
【０１００】
図３Ｑを参照し、一つの制御チャネルが物理ダウンリンク制御チャネル（ＰＤＣＣＨ）であり、別の制御チャネルもＰＤＣＣＨであり、図３Ｑは本発明の実施例に係るＲＲＣシグナリングで別のＰＤＣＣＨに対する一つのＰＤＣＣＨの時間領域位置オフセット量を指示する概略図である。図３Ｑに示すように、この実施例では、ＲＲＣシグナリングで別のＰＤＣＣＨに対する一つのＰＤＣＣＨの時間領域位置オフセット量を指示し、該時間領域位置オフセット量がシンボル、いくつかのシンボル、シンボルとタイムスロット、シンボルとミニスロット（ｍｉｎｉ−ｓｌｏｔ）を単位とすることができる。この方法により、１番目のＰＤＣＣＨがどのシンボルに位置するかに関わらず、別のＰＤＣＣＨのリソースを容易に指示することができる。これにより、柔軟、高効率、低遅延の制御チャネルリソース割り当てを実現することができる。
【０１０１】
図３Ｒを参照し、一つの制御チャネルが物理ダウンリンク制御チャネル（ＰＤＣＣＨ）であり、別の制御チャネルもＰＤＣＣＨであり、図３Ｒは本発明の実施例に係るＰＤＣＣＨで別のＰＤＣＣＨに対する一つのＰＤＣＣＨの時間領域位置オフセット量を指示する概略図である。図３Ｐに示すように、この実施例では、ＰＤＣＣＨで別のＰＤＣＣＨに対する一つのＰＤＣＣＨの時間領域位置オフセット量を指示する。オフセット量はシンボル、いくつかのシンボル、シンボルとタイムスロット、シンボルとミニスロット（ｍｉｎｉ−ｓｌｏｔ）を単位とすることができる。ＲＲＣシグナリングで指示することに対して、ＰＤＣＣＨで一つのＰＤＣＣＨから別のＰＤＣＣＨまでの時間領域位置オフセット量を指示することは、ＰＤＣＣＨのリソースを動的に指示することができる。これにより、柔軟な制御チャネルリソース割り当てを実現することができる。しかし、ＲＲＣシグナリングで指示することに対して、シグナリングオーバーヘッドが大きい。
【０１０２】
上記図２Ａと図２Ｂに示される実施例と一致し、図４を参照し、図４は本発明の実施例に係るネットワーク側装置の構造図であり、図４に示すように、該ネットワーク側装置は、一つ又は複数のプロセッサ、メモリ、送受信機及び一つ又は複数のプログラムを備え、ここで、前記一つ又は複数のプログラムが前記メモリに記憶され、そして前記一つ又は複数のプロセッサによって実行されるように構成され、前記プログラムが以下のステップを実行するための命令を含む：
少なくとも一つの指示情報を送信し、前記少なくとも一つの指示情報が、データチャネルと第一の制御チャネルの間又は第二の制御チャネルと前記第一の制御チャネルの間の位置オフセット量を指示することに用いられ、前記位置オフセット量が時間領域位置オフセット量及び／又は周波数領域位置オフセット量を含み、前記時間領域位置オフセット量がシンボルレベルのオフセット量である。
【０１０３】
これから分かるように、本発明の実施例では、ネットワーク側装置と端末の間に少なくとも一つの指示情報が伝送され、該少なくとも一つの指示情報がデータチャネルと第一の制御チャネルの間又は第二の制御チャネルと第一の制御チャネルの間の位置オフセット量を指示することに用いられ、位置オフセット量が時間領域位置オフセット量及び／又は周波数領域位置オフセット量を含み、且つ時間領域位置オフセット量がシンボルレベルのオフセット量であるため、第一の制御チャネルがそれぞれどのシンボルに位置するかに関わらず、位置オフセット量によってデータチャネル又は第二の制御チャネルの時間周波数リソースを容易に確定することができ、即ちチャネルのリソースの始点位置がＬＴＥシステムのように固定されたサブフレーム／タイムスロット境界で指示される必要がなく、これにより、「まずチャネルの位置するタイムスロット／サブフレームを指示し、次にチャネルがそれの位置するタイムスロットのどのシンボルから開始するかを指示する」の２レベルの指示によって引き起こされる大きなシグナリングの複雑さとオーバーヘッドが回避され、無線通信システムにおけるチャネルリソースの割り当ての柔軟性と効率を向上することに有利である。
【０１０４】
一つの可能な例では、前記少なくとも一つの指示情報は第一の指示情報を含み、前記第一の指示情報が無線リソース制御（ＲＲＣ）シグナリング又はシステム情報によって伝送され、前記第一の指示情報が前記データチャネルと前記第一の制御チャネルの間又は前記第二の制御チャネルと前記第一の制御チャネルの間の位置オフセット量を指示することに用いられる。
【０１０５】
これから分かるように、本例では、ネットワーク側装置と端末の間に第一の指示情報が伝送され、該第一の指示情報がデータチャネルと第一の制御チャネルの間又は第二の制御チャネルと第一の制御チャネルの間の位置オフセット量を直接指示することができ、そのためチャネルのリソース位置が該位置オフセット量と第一の制御チャネルのリソース位置に基づいて確定されてもよく、即ちチャネルのリソースの始点位置がＬＴＥシステムのように固定されたサブフレーム／タイムスロット境界で指示される必要がなく、これにより、「まずチャネルの位置するタイムスロット／サブフレームを指示し、次にチャネルがそれの位置するタイムスロットのどのシンボルから開始するかを指示する」の２レベルの指示によって引き起こされる大きなシグナリングの複雑さとオーバーヘッドが回避され、無線通信システムにおけるチャネルリソースの割り当ての柔軟性と効率を向上することに有利である。そして該第一の指示情報がＲＲＣシグナリング又はシステム情報によって伝送されるため、シグナリングオーバーヘッドが小さく、チャネルリソース割り当てのデータ伝送効率がさらに向上し、シグナリングの読み取りの遅延が減少する。
【０１０６】
一つの可能な例では、前記少なくとも一つの指示情報は第二の指示情報を含み、前記第二の指示情報がダウンリンク制御情報（ＤＣＩ）によって伝送され、前記第二の指示情報が前記制御チャネルに対する前記データチャネルの位置オフセット量を指示することに用いられる。
【０１０７】
これから分かるように、本例では、ネットワーク側装置と端末の間に第二の指示情報が伝送され、該第二の指示情報がデータチャネルと第一の制御チャネルの間又は第二の制御チャネルと第一の制御チャネルの間の位置オフセット量を直接指示することができ、そのためチャネルのリソース位置が該位置オフセット量と制御チャネルのリソース位置に基づいて確定されてもよく、即ちチャネルのリソースの始点位置がＬＴＥシステムのように固定されたサブフレーム／タイムスロット境界で指示される必要がなく、これにより、「まずチャネルの位置するタイムスロット／サブフレームを指示し、次にチャネルがそれの位置するタイムスロットのどのシンボルから開始するかを指示する」の２レベルの指示によって引き起こされる大きなシグナリングの複雑さとオーバーヘッドが回避され、無線通信システムにおけるチャネルリソースの割り当ての柔軟性と効率を向上することに有利である。そして該第一の指示情報がＤＣＩによって伝送されるため、制御チャネルによってスケジューリングされたデータチャネルのリソースを動的に指示することができ、データチャネルリソースの割り当ての柔軟性がさらに向上する。
【０１０８】
一つの可能な例では、前記少なくとも一つの指示情報は第一の指示情報と第二の指示情報を含み、前記第一の指示情報が無線リソース制御（ＲＲＣ）シグナリング又はシステム情報によって伝送され、前記第二の指示情報がダウンリンク制御情報（ＤＣＩ）によって伝送され、
前記第一の指示情報が少なくとも一つの位置オフセット量を含み、前記第二の指示情報が選択された位置オフセット量に対応するインジケーターを含み、前記インジケーターが前記データチャネルと前記第一の制御チャネルの間又は第二の制御チャネルと前記第一の制御チャネルの間の位置オフセット量が、前記選択された位置オフセット量であることを指示することに用いられ、前記選択された位置オフセット量が前記少なくとも一つの位置オフセット量から選択された位置オフセット量である。
【０１０９】
これから分かるように、本例では、ネットワーク側装置と端末の間に第一の指示情報と第二の指示情報が伝送され、そして該第一の指示情報と第二の指示情報でデータチャネルと第一の制御チャネルの間又は第二の制御チャネルと第一の制御チャネルの間の位置オフセット量を共同で指示し、第一の指示情報のみで指示することに対して、第一の制御チャネルによってスケジューリングされたチャネルリソースをＤＣＩ情報で動的に指示し、チャネルリソースの割り当ての柔軟性を向上することができ、第二の指示情報のみで指示することに対して、ＲＲＣシグナリング又はシステム情報が選択された位置オフセット量を少数の位置オフセット量の値に制限し、それによってシグナリングオーバーヘッドを削減し、データチャネルリソースの割り当ての効率を向上させることができる。
【０１１０】
一つの可能な例では、前記少なくとも一つの指示情報は第一の指示情報と第二の指示情報を含み、前記第一の指示情報が無線リソース制御（ＲＲＣ）シグナリング又はシステム情報によって伝送され、前記第二の指示情報がダウンリンク制御情報（ＤＣＩ）によって伝送され、
前記第一の指示情報内の第一の位置オフセット量が前記データチャネルと前記第一の制御チャネルの間又は第二の制御チャネルと前記第一の制御チャネルの間の位置オフセット量を指示することに用いられ、前記第二の指示情報内の第二の位置オフセット量が、前記データチャネルと前記第一の制御チャネルの間又は前記第二の制御チャネルと前記第一の制御チャネルの間の位置オフセット量を指示することに用いられ、前記第二の位置オフセット量が、端末が前記第二の位置オフセット量と前記第一の位置オフセット量が異なることを検出する時に、前記第二の位置オフセット量を前記データチャネルと前記第一の制御チャネルの間又は第二の制御チャネルと前記第一の制御チャネルの間の位置オフセット量として確定することに用いられる。
【０１１１】
これから分かるように、本例では、ネットワーク側装置と端末の間に第一の指示情報と第二の指示情報が伝送され、第一の指示情報が第一の位置オフセット量を含み、第二の指示情報が第二の位置オフセット量を含み、そして第二の位置オフセット量に指示されるデータチャネルが第一の位置オフセット量に指示されるデータチャネルと同じであり、第二の位置オフセット量が、端末が第二の位置オフセット量と第一の位置オフセット量が異なることを検出する時に、第二の位置オフセット量がデータチャネルと第一の制御チャネルの間又は第二の制御チャネルと第一の制御チャネルの間の位置オフセット量であり、即ち第二の位置オフセット量が第一の位置オフセット量を覆すことができることを確定することに用いられる。第一の指示情報のみで指示することに対して、第一の制御チャネルによってスケジューリングされたチャネルリソースを第二の指示情報で動的に指示することができ、データチャネルリソースの割り当ての柔軟性及び精確性の向上に役立ち、第二の指示情報のみで指示することに対して、シグナリングオーバーヘッドを削減し、データチャネルリソースの割り当ての効率を向上させることができる。
【０１１２】
一つの可能な例では、前記少なくとも一つの指示情報は第二の指示情報を含み、前記第二の指示情報がダウンリンク制御情報（ＤＣＩ）によって伝送され、
前記データチャネル又は前記第二の制御チャネルが複数の周波数領域リソースユニット内の時間周波数リソースを含み、前記第二の指示情報が前記複数の周波数領域リソースユニットに対応する複数の時間領域位置オフセット量を含み、各時間領域位置オフセット量が対応する周波数領域リソースユニット内の時間周波数リソースと前記制御チャネルの間の時間領域位置オフセット量を指示することに用いられる。
【０１１３】
これから分かるように、本例では、第二の指示情報が複数の周波数領域ユニットに対して異なる時間領域位置オフセット量を指示することにより、データチャネル又は第二の制御チャネルの異なる周波数領域リソースユニット内の時間領域リソースを異なる時間領域位置から開始させることができ、それによってより柔軟且つより効果的なチャネルリソース割り当てを実現することができる。
【０１１４】
一つの可能な例では、前記少なくとも一つの指示情報は第三の指示情報を含み、前記第三の指示情報が前記データチャネルの時間領域長さを指示することに用いられ、前記第三の指示情報が無線リソース制御（ＲＲＣ）シグナリング及び／又はダウンリンク制御情報（ＤＣＩ）によって伝送される。
【０１１５】
これから分かるように、本例では、ネットワーク側装置と端末の間に伝送される少なくとも一つの指示情報がさらにデータチャネルの時間領域長さを指示するための第三の指示情報を含むことができ、これにより、より柔軟且つより効果的なデータチャネルリソースの割り当てを実現し、無線通信システムにおけるデータチャネルリソースの配置の柔軟性及び効率の向上に役立つ。
【０１１６】
上記図２Ａに示される実施例と一致し、図５を参照し、図５は本発明の実施例に係る端末の構造図であり、図４に示すように、該端末は、一つ又は複数のプロセッサ、メモリ、通信インタフェース及び一つ又は複数のプログラムを備え、ここで、前記一つ又は複数のプログラムが前記メモリに記憶され、そして前記一つ又は複数のプロセッサによって実行されるように構成され、前記プログラムが以下のステップを実行するための命令を含む：
少なくとも一つの指示情報を受信し、前記少なくとも一つの指示情報が、データチャネルと第一の制御チャネルの間又は第二の制御チャネルと前記第一の制御チャネルの間の位置オフセット量を指示することに用いられ、前記位置オフセット量が時間領域位置オフセット量及び／又は周波数領域位置オフセット量を含み、前記時間領域位置オフセット量がシンボルレベルのオフセット量である。
【０１１７】
これから分かるように、本発明の実施例では、ネットワーク側装置と端末の間に少なくとも一つの指示情報が伝送され、該少なくとも一つの指示情報がデータチャネルと第一の制御チャネルの間又は第二の制御チャネルと第一の制御チャネルの間の位置オフセット量を指示することに用いられ、位置オフセット量が時間領域位置オフセット量及び／又は周波数領域位置オフセット量を含み、且つ時間領域位置オフセット量がシンボルレベルのオフセット量であるため、第一の制御チャネルがそれぞれどのシンボルに位置するかに関わらず、位置オフセット量によってデータチャネル又は第二の制御チャネルの時間周波数リソースを容易に確定することができ、即ちチャネルのリソースの始点位置がＬＴＥシステムのように固定されたサブフレーム／タイムスロット境界で指示される必要がなく、これにより、「まずチャネルの位置するタイムスロット／サブフレームを指示し、次にチャネルがそれの位置するタイムスロットのどのシンボルから開始するかを指示する」の２レベルの指示によって引き起こされる大きなシグナリングの複雑さとオーバーヘッドが回避され、無線通信システムにおけるチャネルリソースの割り当ての柔軟性と効率を向上することに有利である。
【０１１８】
一つの可能な例では、前記少なくとも一つの指示情報は第一の指示情報を含み、前記第一の指示情報が無線リソース制御（ＲＲＣ）シグナリング又はシステム情報によって伝送され、前記第一の指示情報が前記データチャネルと前記第一の制御チャネルの間又は前記第二の制御チャネルと前記第一の制御チャネルの間の位置オフセット量を指示することに用いられる。
【０１１９】
一つの可能な例では、前記少なくとも一つの指示情報は第二の指示情報を含み、前記第二の指示情報がダウンリンク制御情報（ＤＣＩ）によって伝送され、前記第二の指示情報が、前記データチャネルと前記第一の制御チャネルの間又は前記第二の制御チャネルと前記第一の制御チャネルの間の位置オフセット量を指示することに用いられる。
【０１２０】
一つの可能な例では、前記少なくとも一つの指示情報は第一の指示情報と第二の指示情報を含み、前記第一の指示情報が無線リソース制御（ＲＲＣ）シグナリング又はシステム情報によって伝送され、前記第二の指示情報がダウンリンク制御情報（ＤＣＩ）によって伝送され、
前記第一の指示情報が少なくとも一つの位置オフセット量を含み、前記第二の指示情報が選択された位置オフセット量に対応するインジケーターを含み、前記インジケーターが、前記制御チャネルに対する前記データチャネルの位置オフセット量が前記選択された位置オフセット量であることを指示することに用いられ、前記選択された位置オフセット量が前記少なくとも一つの位置オフセット量から選択された位置オフセット量である。
【０１２１】
一つの可能な例では、前記少なくとも一つの指示情報は第一の指示情報と第二の指示情報を含み、前記第一の指示情報が無線リソース制御（ＲＲＣ）シグナリング又はシステム情報によって伝送され、前記第二の指示情報がダウンリンク制御情報（ＤＣＩ）によって伝送され、
前記第一の指示情報内の第一の位置オフセット量が、前記データチャネルと前記第一の制御チャネルの間又は前記第二の制御チャネルと前記第一の制御チャネルの間の位置オフセット量を指示することに用いられ、前記第二の指示情報内の第二の位置オフセット量が、前記データチャネルと前記第一の制御チャネルの間又は前記第二の制御チャネルと前記第一の制御チャネルの間の位置オフセット量を指示することに用いられ、前記第二の位置オフセット量が、端末が前記第二の位置オフセット量と前記第一の位置オフセット量が異なることを検出する時に、前記第二の位置オフセット量を、前記データチャネルと前記第一の制御チャネルの間又は第二の制御チャネルと前記第一の制御チャネルの間の位置オフセット量として確定することに用いられる。
【０１２２】
一つの可能な例では、前記少なくとも一つの指示情報は第二の指示情報を含み、前記第二の指示情報がダウンリンク制御情報（ＤＣＩ）によって伝送され、
前記データチャネル又は前記第二の制御チャネルが複数の周波数領域リソースユニット内の時間周波数リソースを含み、前記第二の指示情報が前記複数の周波数領域リソースユニットに対応する複数の時間領域位置オフセット量を含み、前記時間領域位置オフセット量内の各時間領域位置オフセット量が、対応する周波数領域リソースユニット内の時間周波数リソースと前記第一の制御チャネルの間の時間領域位置オフセット量を指示することに用いられる。
【０１２３】
一つの可能な例では、前記少なくとも一つの指示情報は第三の指示情報を含み、前記第三の指示情報が前記データチャネルの時間領域長さを指示することに用いられ、前記第三の指示情報が無線リソース制御（ＲＲＣ）シグナリング及び／又はダウンリンク制御情報（ＤＣＩ）によって伝送される。
【０１２４】
以上に各ネットワーク要素間のインタラクションの観点から本発明の実施例の解決策を説明した。端末とネットワーク側装置が上記機能を実現するために、各機能を実行するための対応するハードウェア構造及び／又はソフトウェアモジュールを備えることは理解できる。当業者は、本明細書で開示された実施例と組み合わせて説明された各例のユニット及びアルゴリズムステップが本発明でハードウェアとコンピュータソフトウェアの組み合わせで実現されてもよいことを容易に理解するべきである。ある機能がハードウエア、又はコンピュータソフトウエアでハードウエアを駆動することで実行されるかは、技術的解決策の特定アプリケーションと設計制約条件に依存する。当業者は各特定のアプリケーションに対して異なる方法を用いて記述される機能を実現することができるが、このような実現は本発明の範囲を超えると考えられるべきではない。
【０１２５】
本発明の実施例は上記方法の例に基づいて端末とネットワーク側装置に対して機能ユニットの区分を行うことができ、例えば、各機能に対応して各機能ユニットを区分することができ、２つ又は２つ以上の機能を一つの処理ユニットに統合することもできる。上記の統合されたユニットはハードウェアの形態で実現されてもよいし、ソフトウェアプログラムモジュールの形態で実現されてもよい。説明すべきものとして、本発明の実施例ではユニットに対する区分は概略的であり、論理的な機能区分に過ぎず、実際に実施する時に他の区分方式があり得る。
【０１２６】
統合されたユニットを用いる場合、図６に上記実施例に係るネットワーク側装置の一つの可能な機能ユニット構成ブロック図が示される。ネットワーク側装置６００は処理ユニット６０２と通信ユニット６０３を備える。処理ユニット６０２はネットワーク側装置の動作を制御して管理するように構成され、例えば、処理ユニット６０２はネットワーク側装置が図２Ａのステップ２ａ０１、２ａ０６、図２Ｂの２ｂ０１、２ｂ０６及び／又は本明細書に記載される技術のための他のプロセスを実行することをサポートするように構成される。通信ユニット６０３はネットワーク側装置と他の装置の通信、例えば図５に示される端末との通信をサポートするように構成される。ネットワーク側装置はさらにネットワーク側装置のプログラムコードとデータを記憶するように構成される記憶ユニット６０１をさらに備えることができる。
【０１２７】
ここで、処理ユニット６０２は、プロセッサ又はコントローラであってもよく、例えば中央プロセッサ（ＣＰＵ：Ｃｅｎｔｒａｌ  Ｐｒｏｃｅｓｓｉｎｇ  Ｕｎｉｔ）、汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブル論理デバイス、トランジスタ論理デバイス、ハードウェア部材又はそれらの任意の組み合わせであってもよい。それは本発明で開示された内容を組み合わせて説明された様々な例示的な論理ブロック、モジュール及び回路を実現又は実行することができる。前記プロセッサは計算機能を実現する組み合わせであってもよく、例えば一つ又は複数のマイクロプロセッサ、ＤＳＰとマイクロプロセッサの組み合わせなどを含む。通信ユニット６０３は送受信機、送受信回路、ＲＦチップなどであってもよく、記憶ユニット６０１はメモリであってもよい。
【０１２８】
処理ユニット６０２がプロセッサであり、通信ユニット６０３が通信インタフェースであり、記憶ユニット６０１がメモリである場合、本発明の実施例に係るネットワーク側装置は図４に示されるネットワーク側装置であってもよい。
【０１２９】
統合されたユニットを用いる場合、図７に上記実施例に係る端末の一つの可能な機能ユニット構成ブロック図が示される。端末７００は処理ユニット７０２と通信ユニット７０３を備える。処理ユニット７０２は端末の動作を制御して管理するように構成され、例えば、処理ユニット７０２は端末が図２Ａのステップ２ａ０２−２ａ０５、図２Ｂにおけるステップ２ｂ０２−２ｂ０５及び／又は本明細書に記載される技術のための他のプロセスを実行することをサポートするように構成される。通信ユニット７０３は端末と他の装置の通信、例えば図４に示されるネットワーク側装置との通信をサポートするように構成される。端末は端末のプログラムコードとデータを記憶するように構成される記憶ユニット７０１をさらに備えることができる。
【０１３０】
ここで、処理ユニット７０２はプロセッサ又はコントローラであってもよく、例えばＣＰＵ、ＤＳＰ、ＡＳＩＣ、ＦＰＧＡ又は他のプログラマブル論理デバイス、トランジスタ論理デバイス、ハードウェア部材又はそれらの任意の組み合わせであってもよい。それは本発明で開示された内容を組み合わせて説明された様々な例示的な論理ブロック、モジュール及び回路を実現又は実行することができる。前記プロセッサは計算機能を実現する組み合わせであってもよく、例えば一つ又は複数のマイクロプロセッサ、ＤＳＰとマイクロプロセッサの組み合わせなどを含む。通信ユニット７０３は送受信機、送受信回路などであってもよく、記憶ユニット７０１はメモリであってもよい。
【０１３１】
処理ユニット７０２がプロセッサであり、通信ユニット７０３が通信インタフェースであり、記憶ユニット７０１がメモリである場合、本発明の実施例に係る端末は図５に示される端末であってもよい。
【０１３２】
本発明の実施例はさらに別の端末を提供し、図９に示すように、説明を容易にするために、本発明の実施例と関連する部分だけが示され、具体的な技術的詳細については、本発明の実施例の方法部分を参照する。該端末は携帯電話、タブレット型コンピュータ、ＰＤＡ（Ｐｅｒｓｏｎａｌ  Ｄｉｇｉｔａｌ  Ａｓｓｉｓｔａｎｔ：パーソナルデジタルアシスタント）、ＰＯＳ（Ｐｏｉｎｔ  ｏｆ  Ｓａｌｅｓ：販売端末）、車載型コンピュータなどを含む任意の端末装置であってもよく、端末を例とする。
【０１３３】
図９は本発明の実施例に係る端末と関連付けられた携帯電話の部分構造のブロック図である。図９を参照すると、携帯電話は無線周波数（ＲＦ：Ｒａｄｉｏ  Ｆｒｅｑｕｅｎｃｙ）回路９１０、メモリ９２０、入力ユニット９３０、表示ユニット９４０、センサー９５０、オーディオ回路９６０、ワイヤレスフィデリティ（ＷｉＦｉ：Ｗｉｒｅｌｅｓｓ  Ｆｉｄｅｌｉｔｙ）モジュール９７０、プロセッサ９８０、及び電源などの部材を含む。当業者であれば、図９に示される携帯電話の構造が携帯電話を限定するためのものではなく、図示よりもより多く又はより少ない部材を含むことができ、又はいくつかの部品、又は異なる部材を組み合わせて配置されてもよいことを理解できる。
【０１３４】
以下に図９と組み合わせて携帯電話の各構成部材を具体的に説明する。
【０１３５】
ＲＦ回路９１０は情報の受信及び送信に用いられてもよい。通常、ＲＦ回路９１０はアンテナ、少なくとも一つの増幅器、送受信機、カプラ、低雑音増幅器（ＬＮＡ：Ｌｏｗ  Ｎｏｉｓｅ  Ａｍｐｌｉｆｉｅｒ）、デュプレクサなどを含むがこれらに限定されない。また、ＲＦ回路９１０はさらに無線通信によってネットワークと他の装置と通信することができる。上記無線通信は、いずれかの通信基準又はプロトコルを用いることができ、グローバル移動体通信システム（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）、汎用パケット無線サービス（ＧＰＲＳ：Ｇｅｎｅｒａｌ  Ｐａｃｋｅｔ  Ｒａｄｉｏ  Ｓｅｒｖｉｃｅ）、符号分割多元接続（ＣＤＭＡ：Ｃｏｄｅ  Ｄｉｖｉｓｉｏｎ  Ｍｕｌｔｉｐｌｅ  Ａｃｃｅｓｓ）、広帯域符号分割多元接続（ＷＣＤＭＡ：ｉｄｅｂａｎｄ  Ｃｏｄｅ  Ｄｉｖｉｓｉｏｎ  Ｍｕｌｔｉｐｌｅ  Ａｃｃｅｓｓ）、長期進化型（ＬＴＥ：Ｌｏｎｇ  Ｔｅｒｍ  Ｅｖｏｌｕｔｉｏｎ）、電子メール、ショートメッセージングサービス（ＳＭＳ：Ｓｈｏｒｔ  Ｍｅｓｓａｇｉｎｇ  Ｓｅｒｖｉｃｅ）などを含むがこれらに限定されない。
【０１３６】
メモリ９２０はソフトウェアプログラム及びモジュールを記憶するように構成されてもよく、プロセッサ９８０はメモリ９２０に記憶されたソフトウェアプログラム及びモジュールを動作させることにより、携帯電話の各種の機能アプリケーション及びデータ処理を実行する。メモリ９２０は主にプログラム記憶領域とデータ記憶領域を含むことができ、ここで、プログラム記憶領域がオペレーティングシステム、少なくとも一つの機能に必要なアプリケーションプログラムなどを記憶することができ、データ記憶領域が携帯電話の使用に応じて作成されたデータ等を記憶することができる。また、メモリ９２０は高速ランダムアクセスメモリを含むことができ、さらに不揮発性メモリ、例えば少なくとも一つの磁気ディスク記憶デバイス、フラッシュメモリデバイス、又は他の揮発性ソリッドステートメモリデバイスを含むことができる。
【０１３７】
入力ユニット９３０は入力された数字又は文字情報を受信し、携帯電話のユーザ設定及び機能制御に関するキー信号入力を生成するように構成されてもよい。具体的には、入力ユニット９３０は指紋識別モジュール９３１及び他の入力装置９３２を含むことができる。指紋識別モジュール９３１はその上のユーザの指紋データを収集することができる。指紋識別モジュール９３１に加えて、入力ユニット９３０はさらに他の入力装置９３２を含むことができる。具体的には、他の入力装置９３２はタッチスクリーン、物理キーボード、機能キー（例えば音量制御キー、スイッチキー等）、トラックボール、マウス、ジョイスティックなどのうちの一つ又は複数を含むことができるがこれらに限定されない。
【０１３８】
表示ユニット９４０はユーザにより入力された情報又はユーザに供給された情報及び携帯電話の様々なメニューを表示することに用いられてもよい。表示ユニット９４０はディスプレイ９４１を含むことができ、選択可能に、液晶ディスプレイ（ＬＣＤ：Ｌｉｑｕｉｄ  Ｃｒｙｓｔａｌ  Ｄｉｓｐｌａｙ）、有機発光ダイオード（ＯＬＥＤ：Ｏｒｇａｎｉｃ  Ｌｉｇｈｔ−Ｅｍｉｔｔｉｎｇ  Ｄｉｏｄｅ）などの形態でディスプレイ９４１を構成することができる。図９では、指紋識別モジュール９３１とディスプレイ９４１は二つの独立した部材として携帯電話の入力及び入力機能を実現するが、いくつかの実施例では、指紋識別モジュール９３１とディスプレイ９４１を統合して形態電話の入力と放送機能を実現することができる。
【０１３９】
携帯電話はさらに少なくとも一つのセンサー９５０、例えば光センサー、モーションセンサ及び他のセンサーを備えることができる。具体的には、光センサーは周辺光センサー及び近接センサーを含むことができ、ここで、周辺光センサーが周辺光の明るさに応じてディスプレイ９４１の輝度を調節することができ、近接センサーが、携帯電話が耳に移動する時に、ディスプレイ９４１９４１及び／又はバックライトをオフにすることができる。モーションセンサの一種として、加速度センサーは各方向（一般的に三つの軸である）の加速度の大きさを検出でき、静止する時に重力の大きさ及び方向を検出でき、携帯電話ジェスチャーの用途（例えば水平及び垂直画面の切り替え、関連ゲーム、磁力計のジェスチャー校正）への識別、関連機能（例えば歩数計、叩き）への振動識別などに用いられてもよく、携帯電話に対してジャイロ、気圧計、湿度計、温度計、赤外線センサー等の他のセンサを配置することもでき、ここで説明を省略する。
【０１４０】
オーディオ回路９６０、スピーカ９６１、マイクロフォン９６２はユーザと携帯電話との間のオーディオインタフェースを提供することができる。オーディオ回路９６０は受信されたオーディオデータが変換された電気信号を、スピーカ９６１に伝送することができ、スピーカ９６１によって音声信号に変換して放送し、一方では、マイクロホン９６２は収集された音声信号を電気信号に変換し、オーディオ回路９６０によって受信してオーディオデータに変換し、オーディオデータをプロセッサ９８０に放送して処理した後、ＲＦ回路９１０を介して例えば別の携帯電話に送信し、又はオーディオデータをメモリ９２０に放送して処理する。
【０１４１】
ＷｉＦｉが短距離無線伝送技術に属し、携帯電話はＷｉＦｉモジュール９７０を介してユーザによる電子メールの送受信、ウェウブページへの閲覧及びストリーミングメディアへのアクセスなどに役立つことができ、それはユーザに無線広帯域インターネットアクセスを提供する。図９にＷｉＦｉモジュール９７０が示されるが、それが携帯電話の必要な構成に属せず、完全に需要に応じて発明の本質を変更しない範囲で省略されてもよいことは、理解できる。
【０１４２】
プロセッサ９８０は携帯電話の制御センターであり、様々なインタフェース又は回線を用いて携帯電話全体の各部分を接続し、メモリ９２０に記憶されたソフトウェアプログラム及び／又はモジュールを動作又は実行し、メモリ９２０に記憶されたデータを呼び出し、携帯電話の様々な機能及び処理データを実行することにより、携帯電話全体を監視する。選択可能に、プロセッサ９８０は一つ又は複数の処理ユニットを含むことができ、好ましくは、プロセッサ９８０はアプリケーションプロセッサとモデムプロセッサを統合すことができ、ここで、アプリケーションプロセッサが主に操作システム、ユーザインタフェースとアプリケーションプログラムなどを処理し、モデムプロセッサが主に無線通信を処理する。上記モデムプロセッサがプロセッサ９８０に集積されなくてもよいことは、理解できる。
【０１４３】
携帯電話はさらに各部品に電力を供給する電源９９０（例えば電池）を含み、好ましくは、電源は電源管理システムを介してプロセッサ９８０に論理的に接続されてもよく、これにより電源管理システムによって充電、放電、及び電力消費管理などの機能を実現する。
【０１４４】
図示していないが、携帯電話はさらにカメラ、ブルートゥースモジュール等を備えることができ、ここでは説明を省略する。
【０１４５】
前記図２Ａ、図２Ｂに示される実施例では、各ステップ方法における端末側のプロセスは該携帯電話の構造に基づいて実現されてもよい。
【０１４６】
前記図４、図５に示される実施例では、各ユニットの機能は該携帯電話の構造に基づいて実現されてもよい。
【０１４７】
本発明の実施例はさらにコンピュータ可読記憶媒体を提供し、ここで、前記コンピュータ可読記憶媒体が電子データ交換のためのコンピュータプログラムを記憶し、ここで、前記コンピュータプログラムによりコンピュータが上記方法の実施例におけるネットワーク側装置で説明された一部又は全てのステップを実行する。
【０１４８】
本発明の実施例はさらにコンピュータ可読記憶媒体を提供し、ここで前記コンピュータ可読記憶媒体が電子データ交換のためのコンピュータプログラムを記憶し、ここで、前記コンピュータプログラムによりコンピュータが上記方法の実施例における端末で説明された一部又は全てのステップを実行する。
【０１４９】
本発明の実施例はさらにコンピュータプログラム製品を提供し、ここで、前記コンピュータプログラム製品がコンピュータプログラムを記憶する非一時的コンピュータ可読記憶媒体を含み、前記コンピュータプログラムがコンピュータに上記方法におけるネットワーク側装置に記載される一部又は全てのステップを実行させるように動作されることができる。該コンピュータプログラム製品は、一つのソフトウェアインストールパッケージであってもよい。
【０１５０】
本発明の実施例はさらにコンピュータプログラム製品を提供し、ここで、前記コンピュータプログラム製品がコンピュータプログラムを記憶する非一時的コンピュータ可読記憶媒体を含み、前記コンピュータプログラムがコンピュータに上記方法における端末に記載される一部又は全てのステップを実行させるように動作されることができる。該コンピュータプログラム製品は、一つのソフトウェアインストールパッケージであってもよい。
【０１５１】
本発明の実施例で説明された方法又はアルゴリズムのステップはハードウェアで実現されてもよいし、プロセッサがソフトウェア命令を実行することで実現されてもよい。ソフトウェア命令が対応するソフトウェアモジュールで構成され、ソフトウェアモジュールはランダムアクセスメモリ（ＲＡＭ：Ｒａｎｄｏｍ  Ａｃｃｅｓｓ  Ｍｅｍｏｒｙ）、フラッシュメモリ、読み出し専用メモリ（ＲＯＭ：Ｒｅａｄ  Ｏｎｌｙ  Ｍｅｍｏｒｙ）、消去可能プログラマブルＲＯＭ（ＥＰＲＯＭ：Ｅｒａｓａｂｌｅ  Ｐｒｏｇｒａｍｍａｂｌｅ  ＲＯＭ）、電気的消去可能プログラマブル読み取り専用メモリ（ＥＥＰＲＯＭ：Ｅｌｅｃｔｒｉｃａｌｌｙ  ＥＰＲＯＭ）、レジスタ、ハードディスク、モバイルハードディスク、読み出し専用光ディスク（ＣＤ−ＲＯＭ）又は本分野の既知のいかなる他の形態の記憶媒体に記憶されてもよい。例示的な記憶媒体はプロセッサに結合され、これによりプロセッサは該記憶媒体から情報を読み取ることができ、且つ該記憶媒体に情報を書き込むことができる。当然、記憶媒体はプロセッサの構成部分であってもよい。プロセッサと記憶媒体はＡＳＩＣに位置してもよい。また、該ＡＳＩＣはアクセスネットワーク装置、ターゲットネットワーク装置又はコアネットワーク装置に位置してもよい。当然、プロセッサと記憶媒体はディスクリートコンポーネントとしてアクセスネットワーク装置、ターゲットネットワーク装置又はコアネットワーク装置に位置してもよい。
【０１５２】
当業者は、上述した一つ又は複数の例において、本発明の実施例で説明された機能が全部又は一部でソフトウェア、ハードウェア、ファームウェア又はそれらの任意の組み合わせによって実現されてもよいことを理解することができる。ソフトウェアで実施される場合、全て又は部分的にコンピュータプログラム製品の形で実施されてもよい。前記コンピュータプログラム製品は一つ又は複数のコンピュータ命令を含む。コンピュータで前記コンピュータプログラム命令をロード及び実行する場合、本発明の実施例に従って説明されたプロセス又は機能を全て部分的に生成する。前記コンピュータは汎用コンピュータ、専用コンピュータ、コンピュータネットワーク、又は他のプログラマブルデバイスであってもよい。前記コンピュータ命令はコンピュータ可読記憶媒体に記憶されてもよく、又は一つのコンピュータ読記憶媒体から別のコンピュータ読記憶媒体に伝送されてもよく、例えば、前記コンピュータ命令は一つウェブサイト、コンピュータ、サーバ又はデータセンターから別のウェブサイト、コンピュータ、サーバ又はデータセンターに有線（例えば同軸ケーブル、光ファイバ、デジタル加入者線（ＤＳＬ：Ｄｉｇｉｔａｌ  Ｓｕｂｓｃｒｉｂｅｒ  Ｌｉｎｅ））又は無線（例えば赤外線、無線、マイクロ波など）で伝送されてもよい。前記コンピュータ読記憶媒体はコンピュータがアクセスできるいかなる利用可能な媒体であってもよく、又は一つ又は複数の利用可能な媒体で統合されたサーバ、データセンターなどのデータ記憶装置を含む。前記利用可能な媒体は磁気磁気媒体（例えばフロッピーディスク、ハードディスク、磁気テープ）、光学媒体（例えばデジタルビデオディスク（ＤＶＤ：Ｄｉｇｉｔａｌ  Ｖｉｄｅｏ  Ｄｉｓｃ））、又は半導体媒体（例えばソリッドステートディスク（ＳＳＤ：Ｓｏｌｉｄ  Ｓｔａｔｅ  Ｄｉｓｋ））などであってもよい。
【０１５３】
上記の具体的な実施形態では、本発明の実施例の目的、技術的解決策と有益な効果をさらに詳しく説明し、したがって、理解すべきものとして、上記は本発明の具体的な実施例の具体的な実施形態に過ぎず、本発明の実施例の保護範囲を限定するためのものではなく、本発明の実施例の技術的解決策に基づいて行われるいかなる修正、同等置き換え、改良などは、いずれも本発明の保護範囲内に含まれるべきである。
【図１】
0006937384.tif 000002
【図２Ａ】
0006937384.tif 000003
【図２Ｂ】
0006937384.tif 000004
【図３Ａ】
0006937384.tif 000005
【図３Ｂ】
0006937384.tif 000006
【図３Ｃ】
0006937384.tif 000007
【図３Ｄ】
0006937384.tif 000008
【図３Ｅ】
0006937384.tif 000009
【図３Ｆ】
0006937384.tif 000010
【図３Ｇ】
0006937384.tif 000011
【図３Ｈ】
0006937384.tif 000012
【図３Ｉ】
0006937384.tif 000013
【図３Ｊ】
0006937384.tif 000014
【図３Ｋ】
0006937384.tif 000015
【図３Ｌ】
0006937384.tif 000016
【図３Ｍ】
0006937384.tif 000017
【図３Ｎ】
0006937384.tif 000018
【図３Ｏ】
0006937384.tif 000019
【図３Ｐ】
0006937384.tif 000020
【図３Ｑ】
0006937384.tif 000021
【図３Ｒ】
0006937384.tif 000022
【図４】
0006937384.tif 000023
【図５】
0006937384.tif 000024
【図６】
0006937384.tif 000025
【図７】
0006937384.tif 000026
【図８】
0006937384.tif 000027